(57)【要約】【課題】放射線画像撮影装置を用いて長尺撮影を的確に行うための制御装置及び長尺撮影を的確に行うことが可能な放射線画像撮影システムを提供する。【解決手段】制御装置５４、Ｃは、複数の放射線画像撮影装置１と、複数の放射線画像撮影装置１に対して放射線を照射する放射線照射装置５２と、を備え、１回の放射線の照射で複数の放射線画像を生成する長尺撮影を行うことが可能な放射線画像撮影システム５０の制御に用いられるものであって、放射線画像撮影装置１が撮影可能な状態となったことを契機として送信するインターロック解除信号を複数の放射線画像撮影装置１のそれぞれから受信することが可能であり、全ての放射線画像撮影装置１からのインターロック解除信号が受信された場合に放射線照射装置５２に対して放射線の照射許可を行うように構成されている。【選択図】図８
2020058883.tif 000002
【特許請求の範囲】
【請求項１】
複数の放射線画像撮影装置と、前記放射線画像撮影装置に対して放射線を照射する放射線照射装置と、を備え、複数の前記放射線画像撮影装置に同時に放射線を照射する長尺撮影を行うことが可能な放射線画像撮影システムの制御に用いられる制御装置であって、
前記放射線画像撮影装置が撮影可能な状態となったことを契機として送信するインターロック解除信号を複数の前記放射線画像撮影装置のそれぞれから受信することが可能であり、
全ての前記放射線画像撮影装置からの前記インターロック解除信号が受信された場合に前記放射線照射装置に対して放射線の照射許可を行うように構成されていることを特徴とする制御装置。
【請求項２】
前記放射線の照射許可として、前記放射線照射装置に対してインターロック解除信号を送信することを特徴とする請求項１に記載の制御装置。
【請求項３】
複数の放射線画像撮影装置と、
前記放射線画像撮影装置に対して放射線を照射する放射線照射装置と、を備え、複数の前記放射線画像撮影装置に同時に放射線を照射する長尺撮影を行うことが可能な放射線画像撮影システムであって、
複数の前記放射線画像撮影装置は、それぞれ撮影可能な状態となったことを契機としてインターロック解除信号を前記放射線照射装置へ送信することが可能に構成されており、
前記放射線照射装置は、全ての前記放射線画像撮影装置からの前記インターロック解除信号が受信された場合に放射線の照射が可能となるよう構成されていることを特徴とする放射線画像撮影システム。
【請求項４】
複数の放射線画像撮影装置と、
前記放射線画像撮影装置に対して放射線を照射する放射線照射装置と、を備え、複数の前記放射線画像撮影装置に同時に放射線を照射する長尺撮影を行うことが可能な放射線画像撮影システムであって、
前記放射線画像撮影装置が撮影可能な状態となったことを契機として送信するインターロック解除信号を複数の前記放射線画像撮影装置のそれぞれから受信することが可能であり、全ての前記放射線画像撮影装置からの前記インターロック解除信号が受信された場合に前記放射線照射装置に対してインターロック解除信号を送信する制御装置を備え、
前記放射線照射装置は、前記制御装置からインターロック解除信号を受信した場合に放射線の照射が可能となるよう構成されていることを特徴とする放射線画像撮影システム。
【請求項５】
複数の放射線画像撮影装置と、
前記放射線画像撮影装置に対して放射線を照射する放射線照射装置と、を備え、複数の前記放射線画像撮影装置に同時に放射線を照射する長尺撮影を行うことが可能な放射線画像撮影システムであって、
前記複数の放射線画像撮影装置は、放射線の照射開始を検出すると電荷蓄積状態に移行して撮影を行う非連携方式で動作するものであり、
前記放射線照射装置が放射線の照射を開始する際に送信する照射開始信号を受信することが可能であり、前記放射線照射装置から照射開始信号を受信した場合に前記放射線照射装置に対してインターロック解除信号を送信する制御装置を備え、
前記放射線照射装置は、前記制御装置からインターロック解除信号を受信した場合に放射線の照射が可能となるよう構成されていることを特徴とする放射線画像撮影システム。
【発明の詳細な説明】
【技術分野】
【０００１】
本発明は、制御装置及び放射線画像撮影システムに係り、特に、いわゆる長尺撮影を行うための制御装置及び放射線画像撮影システムに関する。
【背景技術】
【０００２】
患者の上半身や下半身等の比較的広い範囲を撮影する方法として、放射線画像撮影装置（Flat Panel Detector）を、撮影される被写体の体軸に沿って位置を変えながら放射線照射装置から放射線を照射して複数枚の放射線画像を撮影する、いわゆる長尺撮影が知られている。そして、通常、長尺撮影で得られた複数枚の放射線画像が画像処理でつなぎ合わされて１枚の放射線画像とされる。このような長尺撮影を行う放射線画像撮影システムの構成としては、種々の構成が知られているが、その中の１つとして、例えば図２２に示すような放射線画像撮影システムが知られている。
【０００３】
すなわち、この場合の放射線画像撮影システムは、放射線照射装置１００と放射線画像撮影装置１０１との間に、図示しない開口を有するコリメーター（collimator）１０２を配置し、放射線照射装置Ｓからの放射線の照射方向や照射領域を変えずに、放射線画像撮影装置１０１の位置を被写体Ｈの体軸Ａに沿って移動させるのにあわせてコリメーター１０２を被写体Ｈの体軸方向に移動させて開口の位置等を変える。そして、このようにしてコリメーター１０２の開口で放射線照射装置Ｓから照射される放射線の照射野を放射線画像撮影装置１０１を含む必要な範囲のみに放射が照射されるように制限した状態で、放射線画像撮影装置１０１が位置を変えるごとに放射線照射装置Ｓから放射線を照射して、すなわち複数回の放射線照射を行って複数枚の放射線画像を撮影する。そして、図示しないコンソールで複数枚の放射線画像をつなぎ合わせて１枚の長尺撮影の放射線画像を生成するように構成される（例えば特許文献１等参照）。
【０００４】
なお、図２２では、放射線画像撮影装置１０１を上下２箇所の位置に移動させて撮影を行う場合が示されているが、放射線画像撮影装置１０１を何箇所の位置に移動させるかは使用される放射線画像撮影装置１０１の大きさや撮影部位等に応じて適宜決められる。また、図示を省略するが、図２２に示したように被写体Ｈが起立した状態すなわち立位の撮影の場合だけでなく、被写体Ｈが横臥した状態すなわち臥位で撮影を行う場合にも、同様にして長尺撮影を行うことができる。
【先行技術文献】
【特許文献】
【０００５】
【特許文献１】特開２０１３−２２６２４３号公報
【発明の概要】
【発明が解決しようとする課題】
【０００６】
しかしながら、図２２に示したコリメーター１０２を用いる放射線画像撮影システムのみならず、少なくとも放射線画像撮影装置１０１を被写体Ｈの体軸Ａ方向に移動させながら複数枚の放射線画像を撮影して長尺撮影を行う従来の放射線画像撮影システムの場合、放射線画像撮影装置１０１が移動する間に被写体Ｈが動くという問題（すなわちいわゆる体動の問題）が少なからず発生する。そして、複数枚の放射線画像のうち１枚でも体動が発生していると、当該放射線画像のみを再撮影して画像合成処理を行っても適切な長尺画像を得ることは困難であり、複数枚の放射線画像全部を再撮影しなければならなくなり、患者の被曝線量が増大してしまうという問題があった。
【０００７】
このような問題を解決するためには、後述する本発明の放射線画像撮影システムのように（後述する図１等参照）、複数の放射線画像撮影装置を被写体の体軸（図１中のＡ参照）の方向に並べて配置しておき、それらの放射線画像撮影装置に対して放射線照射装置から１回だけ（すなわち１ショットで）放射線を照射して複数枚の放射線画像を撮影するように構成することが効果的である。
【０００８】
しかし、予め複数の放射線画像撮影装置が被写体の体軸方向に配置された長尺撮影専用の撮影台を、病院等の施設に新たに導入することは、このような撮影台が高価であることや、１つの放射線画像撮影装置に対して放射線照射装置から放射線を１回照射して行う通常の撮影（以下、単純撮影という。）の撮影頻度に比べて長尺撮影の撮影頻度が高くないことから、費用対効果等の点からも必ずしも容易に実施できることではない。
【０００９】
そのため、施設に既に設置されている、複数のＣＲ（Computed Radiography）カセッテを装填する長尺撮影用のブッキー装置を用い、或いは長尺撮影用のブッキー装置を安価に製造し、それに、可搬型（カセッテ型等ともいう。）の放射線画像撮影装置を必要な個数だけ装填して長尺撮影を行うことができるように放射線画像撮影システムを構成することが望ましい。このように構成すれば、放射線科内での主流業務である単純撮影に使用できる可搬型放射線画像撮影装置を用いて長尺撮影も行うことが可能となり、放射線科の放射線画像撮影システム全体のコストパフォーマンスや撮影効率等をより向上させることが可能となる。
【００１０】
しかし、このように構成することに伴って、放射線画像撮影システムに種々の不具合が発生する虞れがある。
【００１１】
本発明は、上記の問題点を鑑みてなされたものであり、放射線画像撮影装置を用いて長尺撮影を的確に行うための制御装置及び長尺撮影を的確に行うことが可能な放射線画像撮影システムを提供することを目的とする。
【課題を解決するための手段】
【００１２】
前記の問題を解決するために、本発明の制御装置は、
複数の放射線画像撮影装置と、前記複数の放射線画像撮影装置に対して放射線を照射する放射線照射装置と、を備え、１回の放射線の照射で複数の放射線画像を生成する長尺撮影を行うことが可能な放射線画像撮影システムの制御に用いられる制御装置であって、
前記放射線画像撮影装置が撮影可能な状態となったことを契機として送信するインターロック解除信号を複数の前記放射線画像撮影装置のそれぞれから受信することが可能であり、
全ての前記放射線画像撮影装置からの前記インターロック解除信号が受信された場合に前記放射線照射装置に対して放射線の照射許可を行うように構成されていることを特徴とする。
【００１３】
また、本発明の放射線画像撮影システムは、
複数の放射線画像撮影装置と、
前記複数の放射線画像撮影装置に対して放射線を照射する放射線照射装置と、を備え、１回の放射線の照射で複数の放射線画像を撮影する長尺撮影を行うことが可能な放射線画像撮影システムであって、
複数の前記放射線画像撮影装置は、それぞれ撮影可能な状態となったことを契機としてインターロック解除信号を前記放射線照射装置へ送信することが可能に構成されており、
前記放射線照射装置は、全ての前記放射線画像撮影装置からの前記インターロック解除信号が受信された場合に放射線の照射が可能となるよう構成されていることを特徴とする。
【００１４】
また、本発明の放射線画像撮影システムは、
複数の放射線画像撮影装置と、
前記複数の放射線画像撮影装置に対して放射線を照射する放射線照射装置と、を備え、１回の放射線の照射で複数の放射線画像を撮影する長尺撮影を行うことが可能な放射線画像撮影システムであって、
前記放射線画像撮影装置が撮影可能な状態となったことを契機として送信するインターロック解除信号を複数の前記放射線画像撮影装置のそれぞれから受信することが可能であり、全ての前記放射線画像撮影装置からの前記インターロック解除信号が受信された場合に前記放射線照射装置に対してインターロック解除信号を送信する制御装置を備え、
前記放射線照射装置は、前記制御装置からインターロック解除信号を受信した場合に放射線の照射が可能となるよう構成されていることを特徴とする。
【００１５】
また、本発明の放射線画像撮影システムは、
複数の放射線画像撮影装置と、
前記複数の放射線画像撮影装置に対して放射線を照射する放射線照射装置と、を備え、１回の放射線の照射で複数の放射線画像を撮影する長尺撮影を行うことが可能な放射線画像撮影システムであって、
前記複数の放射線画像撮影装置は、放射線の照射開始を検出すると電荷蓄積状態に移行して撮影を行う非連携方式で動作するものであり、
前記放射線照射装置が放射線の照射を開始する際に送信する照射開始信号を受信することが可能であり、前記放射線照射装置から照射開始信号を受信した場合に前記放射線照射装置に対してインターロック解除信号を送信する制御装置を備え、
前記放射線照射装置は、前記制御装置からインターロック解除信号を受信した場合に放射線の照射が可能となるよう構成されていることを特徴とする。
【発明の効果】
【００１６】
本発明のような方式の制御装置や放射線画像撮影システムによれば、放射線画像撮影装置を用いて長尺撮影を的確に行うことが可能となる。
【図面の簡単な説明】
【００１７】
【図１】本実施形態に係る放射線画像撮影システムの構成を示す図である。
【図２】複数の撮影室と単数または複数のコンソールとが対応付けられて構成された放射線画像撮影システムの構成例を表す図である。
【図３】放射線画像撮影装置がクレードルに挿入され、コネクター同士が接続された状態を表す断面図である。
【図４】検知手段としてタグリーダーを備える構成例を示す図である。
【図５】（Ａ）放射線発生装置の曝射スイッチを表す図であり、（Ｂ）ボタンを半押しした状態、（Ｃ）ボタンを全押しした状態を表す図である。
【図６】可搬型放射線画像撮影装置の外観を示す斜視図である。
【図７】可搬型放射線画像撮影装置の等価回路を表すブロック図である。
【図８】連携方式で撮影を行う場合に各走査線にオン電圧を印加するタイミング等を説明するタイミングチャートである。
【図９】リークデータに基づいて放射線の照射開始を検出する非連携方式の場合に各走査線にオン電圧を印加するタイミング等を説明するタイミングチャートである。
【図１０】図８に示した処理シーケンスが繰り返されてオフセットデータの読み出し処理が行われることを表すタイミングチャートである。
【図１１】撮影オーダー情報の一例を示す図である。
【図１２】撮影オーダー情報を表示する選択画面の一例を示す図である。
【図１３】各撮影オーダー情報に対応する各アイコン等を表示する画面の一例を示す図である。
【図１４】撮影室内に存在する放射線画像撮影装置に対応するアイコンが表示された選択画面の一例を示す図である。
【図１５】図１４の選択画面で放射線画像撮影装置が装填されたブッキー装置に対応するアイコンの表示例を示す図である。
【図１６】図１４の選択画面で放射線画像撮影装置に対応するアイコンが選択された場合の表示例を表す図である。
【図１７】図１３の画面上のフォーカス表示されたアイコン上にプレビュー画像や放射線画像が表示されることを表す図である。
【図１８】（Ａ）長尺撮影において放射線画像撮影装置ごとに算出された真の画像データ、および（Ｂ）真の画像データを合成して長尺画像データを生成することを説明する図である。
【図１９】放射線画像撮影装置のコネクターにブッキー装置のコネクターが接続された状態を表す図である。
【図２０】（Ａ）長尺撮影用のブッキー装置に３個の放射線画像撮影装置を装填した状態を表す図であり、（Ｂ）中央の装填位置に放射線画像撮影装置が装填されていない状態を表す図である。
【図２１】長尺撮影用のブッキー装置に３個の放射線画像撮影装置が（Ａ）中央揃えに装填された状態とその際の照射野、（Ｂ）右揃えに装填された状態とその際の照射野を説明する図である。
【図２２】長尺撮影を行う放射線画像撮影システムの従来の構成を説明する図である。
【発明を実施するための形態】
【００１８】
以下、本発明に係る放射線画像撮影システムの実施の形態について、図面を参照して説明する。図１は、本実施形態に係る放射線画像撮影システムの構成を示す図である。
【００１９】
なお、以下の本実施形態に係る放射線画像撮影システム５０の基本的な構成等の説明においては、図１に示すように撮影室ＲａとコンソールＣとが１：１に対応付けられている場合について説明するが、図２に示すように、複数の撮影室Ｒａ（Ｒａ１〜Ｒａ３）と単数または複数のコンソールＣ（Ｃ１、Ｃ２）とがネットワークＮ等を介して対応付けられている場合も同様に説明することが可能である。
【００２０】
また、図１には、撮影室Ｒａ内に長尺撮影用のブッキー装置５１Ａのみが設置されているように記載されているが、単純撮影に使用する立位撮影用のブッキー装置５１Ｂや臥位撮影用のブッキー装置５１Ｃ（図２参照）等が撮影室Ｒａ内に設置されていてもよい。すなわち、撮影室Ｒａが１つの場合は、当該撮影室Ｒａ内に長尺撮影用のブッキー装置５１Ａが設置されていればよく、その他にどのようなモダリティーを撮影室Ｒａ内に設置するかは適宜決められる。また、図２に示すように撮影室Ｒａが複数の場合は、少なくともいずれかの１つの撮影室Ｒａに長尺撮影用のブッキー装置５１Ａが設置されていればよく、当該撮影室Ｒａや他の撮影室Ｒａにどのようなモダリティーを撮影室Ｒａ内に設置するかは適宜決められる。全ての撮影室Ｒａに長尺撮影用のブッキー装置５１Ａが設置されていてもよい。
【００２１】
さらに、長尺撮影用のブッキー装置５１Ａは、前述したように、ＣＲカセッテやフィルムカセッテを複数個装填可能な１ショット長尺用のブッキー装置であったり、通電や通信機能等を有するブッキー装置であったりするが、それぞれの使用方法については後で詳しく説明する。また、図１や図２では、長尺撮影用のブッキー装置５１Ａとして、撮影室Ｒａ内に立位の長尺撮影用のブッキー装置５１Ａが設置されている場合が記載されているが、図示を省略するが、撮影室Ｒａ内に臥位の長尺撮影用のブッキー装置を設置することも可能であり、放射線画像撮影システム５０が、長尺撮影用のブッキー装置５１Ａとして臥位の長尺撮影用のブッキー装置のみを備える場合にも、本発明を適用することが可能である。
【００２２】
［放射線画像撮影システムの基本的な構成等について］
図１に示すように、本実施形態では、撮影室Ｒａ（複数の撮影室Ｒａを備える場合には少なくとも１つの撮影室Ｒａ）には、長尺撮影を行うために複数の放射線画像撮影装置１を装填可能なブッキー装置５１Ａが配置されており、長尺撮影用のブッキー装置５１Ａは、そのカセッテホルダー５１ａ内に、複数の放射線画像撮影装置１が被写体Ｈの体軸Ａ方向に並ぶように装填することができるようになっている。
【００２３】
なお、図１では、長尺撮影用のブッキー装置５１Ａのカセッテホルダー５１ａに、放射線画像撮影装置１を３個装填する場合が示されているが、長尺撮影用のブッキー装置５１Ａに装填される放射線画像撮影装置１の個数が３個の場合に限定されない。また、長尺撮影用のブッキー装置５１Ａや放射線画像撮影装置１の構成等については後で説明する。
【００２４】
撮影室Ｒａには、放射線照射装置５２が設けられており、図１に示すように、長尺撮影に用いる放射線照射装置５２は、被写体Ｈを介して、ブッキー装置５２Ａに装填された複数の放射線画像撮影装置１に同時に（すなわち１回の放射線の照射（いわゆる１ショット）で）放射線を照射することができるようにいわゆる広角照射タイプになっている。なお、長尺撮影用の放射線照射装置５２を単純撮影を行う立位撮影用や臥位撮影用の放射線照射装置５２と兼用とすることも可能であり、その場合、単純撮影を行う場合は、長尺撮影用の放射線照射装置５２から照射される放射線の照射野をコリメーターで制限して照射するように構成することも可能である。
【００２５】
また、撮影室Ｒａには、撮影室Ｒａ内の各装置等や撮影室Ｒａ外の各装置等の間の通信等を中継するための中継器５４が設けられている。なお、本実施形態では、中継器５４には、放射線画像撮影装置１が無線方式で画像データＤや信号等の送受信を行うことができるように、アクセスポイント５３が設けられている。また、中継器５４は、放射線照射装置５５やコンソールＣと接続されている。そして、中継器５４には、放射線画像撮影装置１やコンソールＣ等から放射線照射装置５５に送信するＬＡＮ（Local Area Network）通信用の信号等を放射線照射装置５５用の信号等に変換し、また、その逆の変換も行う図示しない変換器が内蔵されている。
【００２６】
本実施形態では、中継器５４には、クレードル５５が接続されている。図３に示すように、撮影室Ｒａに持ち込まれた放射線画像撮影装置１がクレードル５５に挿入されて、放射線画像撮影装置１の後述するコネクター２７（後述する図６参照）とクレードル５５のコネクター５５ａとが接続されると、放射線画像撮影装置１の識別情報であるカセッテＩＤ等が中継器５４に通知されるようになっている。そして、中継器５４は、クレードル５５から放射線画像撮影装置１のカセッテＩＤが送信されてくると、カセッテＩＤをコンソールＣや後述する管理装置Ｓ（図２参照）等に通知するようになっている。
【００２７】
なお、クレードル５５は、本来、放射線画像撮影装置１等を保管したり充電するために用いられるものであり、本実施形態においても、クレードル５５が充電等の機能を有するように構成することも可能である。また、放射線画像撮影装置１がクレードル５５に挿入された時点で、例えばクレードル５５やコンソールＣ等から放射線画像撮影装置１に対して当該撮影室Ｒに設置されたアクセスポイント５３のＳＳＩＤを通知するように構成することも可能である。さらに、図３では、放射線画像撮影装置１を挿入する挿入口が２個設けられたクレードル５５が示されているが、挿入口は１個でもよく、或いは３個以上設けられていてもよい。また、クレードル５５は撮影室Ｒａと前室Ｒｂのいずれに設置されてもよく、撮影室Ｒａに設置される場合には、放射線照射装置５２から照射される放射線が到達しない位置、すなわち、例えば撮影室Ｒａのコーナーの位置等に設置される。
【００２８】
放射線画像撮影装置１の撮影室Ｒａや前室Ｒｂへの進入を検知する検知手段として、本実施形態のようにクレードル５５を用いる代わりに、例えば図４に示すように、例えば前室Ｒｂや撮影室Ｒａの扉付近にタグリーダー６０を設けるように構成することも可能である。
【００２９】
この場合、予め、放射線画像撮影装置１内に、いわゆるＲＦＩＤ（Radio Frequency IDentification）タグ等の図示しないタグを内蔵させておき、タグに放射線画像撮影装置１のカセッテＩＤ等の固有情報を記憶させておく。そして、放射線画像撮影装置１がタグリーダー６０の近傍を通過して前室Ｒｂや撮影室Ｒａに持ち込まれたり持ち出されたりする際に、タグリーダー６０が放射線画像撮影装置１のタグからカセッテＩＤ等の情報を読み取り、そのカセッテＩＤをコンソールＣに通知したり、中継器５４を介して管理装置Ｓ（図２参照）に通知したりするように構成することも可能である。
【００３０】
図１に示すように、前室（操作室等ともいう。）Ｒｂには、放射線照射装置の操作卓５７が設けられており、操作卓５７には、放射線技師等の操作者が操作して放射線照射装置５２に対して放射線の照射開始等を指示するための曝射スイッチ５６が設けられている。操作卓５７では、放射線照射装置５２に対して管電流や照射時間等を設定することができるようになっているが、本実施形態では、管電流等の設定をコンソールＣ上でも行うことができるようになっている。
【００３１】
図５（Ａ）に示すように、曝射スイッチ５６にはボタン５６ａが設けられており、図５（Ｂ）に示すように、放射線技師等の操作者が曝射スイッチ５６のボタン５６ａに対して１段目の操作（いわゆる半押し操作）を行うと、放射線照射装置５２が起動する。そして、図５（Ｃ）に示すように、操作者が曝射スイッチ５６のボタン５６ａに対して２段目の操作（いわゆる全押し操作）を行うと、放射線照射装置５２から放射線が照射されるようになっている。なお、この放射線照射装置５２からの放射線の照射等については後で説明する。
【００３２】
［可搬型放射線画像撮影装置について］
ここで、コンソールＣの説明を行う前に、放射線画像撮影システムで用いられる可搬型放射線画像撮影装置１について説明する。なお、以下では、可搬型放射線画像撮影装置を単に放射線画像撮影装置という。図６は、放射線画像撮影装置の外観を示す斜視図である。
【００３３】
本実施形態では、放射線画像撮影装置１は、後述する放射線検出素子７等が筐体２内に収納されて構成されており、筐体２の一方の側面には、電源スイッチ２５や切替スイッチ２６、前述したコネクター２７、インジケーター２８等が配置されている。また、図示を省略するが、本実施形態では、筐体２の例えば反対側の側面等に、外部と無線通信を行うためのアンテナ２９（後述する図７参照）が設けられている。なお、放射線画像撮影装置１は、外部と無線方式で通信を行う場合にはアンテナ２９を用い、外部と有線方式で通信を行う場合にはコネクター２７に図示しないケーブルを接続させて通信するようになっている。
【００３４】
図７は、放射線画像撮影装置の等価回路を表すブロック図である。図７に示すように、放射線画像撮影装置１には、図示しないセンサー基板上に複数の放射線検出素子７が二次元状（マトリクス状）に配列されている。各放射線検出素子７は、照射された放射線の量に応じた電荷を発生させるようになっている。各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００３５】
各放射線検出素子７には、スイッチ素子として薄膜トランジスター（Thin Film Transistor。以下、ＴＦＴという。）８が接続されており、ＴＦＴ８は信号線６に接続されている。また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加されるようになっている。そして、各ＴＦＴ８は、走査線５を介してオン電圧が印加されるとオン状態になって、放射線検出素子７内に蓄積された電荷を信号線６に放出させ、また、走査線５を介してオフ電圧が印加されるとオフ状態になって、放射線検出素子７と信号線６との導通を遮断して、放射線検出素子７内で発生した電荷を放射線検出素子７内に蓄積させるようになっている。
【００３６】
読み出しＩＣ１６内には複数の読み出し回路１７が設けられており、読み出し回路１７にはそれぞれ信号線６が接続されている。そして、画像データＤの生成処理の際には、放射線検出素子７から電荷が放出されると、電荷は信号線６を介して読み出し回路１７に流れ込み、増幅回路１８では流れ込んだ電荷の量に応じた電圧値が出力される。そして、相関二重サンプリング回路（図７では「ＣＤＳ」と記載されている。）１９は、増幅回路１８から出力された電圧値をアナログ値の画像データＤとして読み出して下流側に出力する。そして、出力された画像データＤはアナログマルチプレクサー２１を介してＡ／Ｄ変換器２０に順次送信され、Ａ／Ｄ変換器２０でデジタル値の画像データＤに順次変換され、記憶手段２３に出力されて順次保存されるようになっている。
【００３７】
制御手段２２は、図示しないＣＰＵ（Central Processing Unit）やＲＯＭ（Read Only
Memory）、ＲＡＭ（Random Access Memory）、入出力インターフェース等がバスに接続
されたコンピューターや、ＦＰＧＡ（Field Programmable Gate Array）等で構成されて
いる。専用の制御回路で構成されていてもよい。制御手段２２には、ＳＲＡＭ（Static ＲＡＭ）やＳＤＲＡＭ（Synchronous ＤＲＡＭ）等で構成される記憶手段２３が接続されており、また、アンテナ２９やコネクター２７を介して外部と無線方式や有線方式で通信を行う通信部３０が接続されている。さらに、制御手段２２には、走査駆動手段１５や読み出し回路１７、記憶手段２３、バイアス電源１４等の各機能部に必要な電力を供給するバッテリー２４等が接続されている。
【００３８】
なお、本実施形態に係る放射線画像撮影装置１は、ブッキー装置５１に装填して撮影に用いることも可能であるが、図示を省略するが、ブッキー装置５１に装填せずに、いわば単独の状態で、例えば被写体である患者の身体にあてがったり、或いは例えば患者とベッドとの間に挿入する等して撮影に用いることもできるようになっている。
【００３９】
また、本実施形態では、前述したように、放射線画像撮影装置１を、施設に既に設置されているＣＲカセッテを装填するブッキー装置５１に装填して撮影に用いることが想定されている。そのため、放射線画像撮影装置１は、ＣＲカセッテが準拠する、従来のスクリーン／フィルム用のカセッテにおけるＪＩＳ規格サイズ（ＪＩＳＺ４９０５。対応する国際規格はＩＥＣ  ６０４０６）に準拠するサイズで形成されているが、本発明は、放射線画像撮影装置１がこのようなサイズに形成されていない場合にも適用される。
【００４０】
［放射線画像撮影装置の電力消費モードについて］
また、本実施形態では、後述するように、制御手段２２は、放射線画像撮影装置１の電力消費モードを、少なくとも、走査駆動手段１５や読み出し回路１７を含む各機能部に電力を供給し、撮影を行うことが可能な撮影可能モード（覚醒モードやwake upモード等と
もいう。）と、撮影可能モードよりも消費電力量が少ないが撮影を行うことができない省電力モード（sleepモード等ともいう。）との間で切り替えることができるようになっている。
【００４１】
そして、本実施形態では、放射線画像撮影装置１は、例えば撮影が終了した後、所定時間が経過しても次の撮影が行われない場合に電力消費モードを撮影可能モードから省電力モードに切り替える等の自動的な切り替え処理を行うほか、コンソールＣから後述する切り替え信号が送信されてきた場合や、放射線技師等の操作者が切替スイッチ２６（図６参照）を操作する等した場合に電力消費モードを撮影可能モードと省電力モードとの間で切り替えるようになっている。
【００４２】
［放射線画像撮影装置で行われる処理について］
次に、撮影（単純撮影や長尺撮影を含む。）において放射線画像撮影装置１で行われる処理について説明する。その際、放射線画像撮影装置１と放射線照射装置５２との間で信号の送受信等を行って連携を取りながら撮影を行う場合（以下、この場合の撮影方式を連携方式という。）と、放射線画像撮影装置１と放射線照射装置５２との間で信号の送受信等を行わずに撮影を行う場合（以下、この場合の撮影方式を非連携方式という。）とで、放射線画像撮影装置１で行われる処理が異なる。以下、各方式の場合についてそれぞれ簡単に説明する。
【００４３】
［連携方式における処理について］
連携方式の場合、例えば図８の左側の部分に示すように、放射線画像撮影装置１は、ゲートドライバー１５ｂ（図７参照）から走査線５の各ラインＬ１〜Ｌｘにオン電圧を順次印加し、各ＴＦＴ８を順次オン状態にして各放射線検出素子７内に残存する電荷を除去する各放射線検出素子７のリセット処理を行わせる。
【００４４】
そして、前述したように、放射線技師等の操作者により曝射スイッチ５６（図１参照）が操作され、曝射スイッチ５６に対する２段目の操作すなわち全押し操作がなされると、放射線照射装置５２から放射線画像撮影装置１に対して照射開始信号が送信される。そして、放射線画像撮影装置１は、照射開始信号を受信すると、図８に示すように、走査線５の最終ラインＬｘまでオン電圧を印加させて各放射線検出素子７のリセット処理を行った時点でリセット処理を終了させる。
【００４５】
そして、放射線画像撮影装置１は、ゲートドライバー１５ｂから走査線５の各ラインＬ１〜Ｌｘにオフ電圧を印加させて各ＴＦＴ８をオフ状態にさせて、放射線の照射により各放射線検出素子７内で発生した電荷を各放射線検出素子７内に蓄積させる電荷蓄積状態に移行させ、それと同時に、放射線照射装置５２にインターロック解除信号を送信する。そして、放射線照射装置５２は、インターロック解除信号を受信した時点で初めて放射線を照射する。なお、図８における斜線部分は、放射線照射装置５２から放射線が照射されている期間を表す。
【００４６】
放射線画像撮影装置１は、電荷蓄積状態に移行した後、予め設定された蓄積時間τが経過すると、図８の右側の部分に示すように、ゲートドライバー１５ｂから走査線５の各ラインＬ１〜Ｌｘにオン電圧を順次印加して、上記のようにして各放射線検出素子７から画像データＤを読み出して画像データＤの生成処理を行うように構成される。
【００４７】
［非連携方式における処理について］
一方、非連携方式の場合には、上記のように、放射線画像撮影装置１と放射線照射装置５２との間で信号の送受信等は行われない。そのため、放射線画像撮影装置１が自ら放射線照射装置５２から放射線が照射されたことを検出するように構成されることが必要となる。このように放射線画像撮影装置１自体で放射線の照射を検出する方法としては、例えば特開２００９−２１９５３８号公報や国際公開第２０１１／１３５９１７号パンフレット、国際公開第２０１１／１５２０９３号パンフレット等に記載された方法を用いることが可能であり、詳しくはそれらの公報等を参照されたい。
【００４８】
なお、以下では、非連携方式において放射線画像撮影装置１で行われる処理として、上記の国際公開第２０１１／１３５９１７号パンフレットに記載されているリークデータｄleakやそれから算出される値に基づいて放射線の照射開始を検出するように放射線画像撮影装置１が構成されている場合について説明する。また、リークデータｄleakとは、ゲートドライバー１５ｂから走査線５の各ラインＬ１〜Ｌｘにオフ電圧を印加し、オフ状態とされた各ＴＦＴ８を介して各放射線検出素子７から信号線６にリークする電荷を読み出し回路１７で読み出したデータである。そして、放射線画像撮影装置１に放射線が照射されると、読み出されるリークデータｄleakの値が増加することを利用して放射線の照射開始を検出することができる。
【００４９】
リークデータｄleakは、上記のように、各ＴＦＴ８をオフ状態とした状態で読み出されるデータであり、各ＴＦＴ８をオフ状態としたままでは各放射線検出素子７内に暗電荷（暗電流等ともいう。）が蓄積され続ける状態になるため、図９の左側の部分に示すように、リークデータｄleakの読み出し処理（図９のＬ参照）を行う際には、それと交互にゲートドライバー１５ｂから走査線５の各ラインＬ１〜Ｌｘにオン電圧を順次印加して各放射線検出素子７のリセット処理（図９のＲ参照）が行われる。
【００５０】
そして、上記のように放射線技師等の操作者が曝射スイッチ５６を操作して放射線照射装置５２から放射線を照射させると、放射線画像撮影装置１は、ある回のリークデータｄleakの読み出し処理で読み出されたリークデータｄleak等に基づいて放射線の照射開始を検出する（図９の「検出」参照）。
【００５１】
そして、放射線画像撮影装置１は、このようにして放射線の照射開始を検出すると、ゲートドライバー１５ｂから走査線５の各ラインＬ１〜Ｌｘにオフ電圧を印加させて電荷蓄積状態に移行させる。そして、電荷蓄積状態に移行した後、予め設定された蓄積時間τが経過すると、図９の右側の部分に示すように、ゲートドライバー１５ｂから走査線５の各ラインＬ１〜Ｌｘにオン電圧を順次印加して、上記のようにして各放射線検出素子７から画像データＤを読み出して画像データＤの生成処理を行うように構成される。
【００５２】
なお、図９では、画像データＤの生成処理の際、放射線の照射開始を検出したリークデータｄleakの読み出し処理（Ｌ）の直前にリセット処理（Ｒ）のためにオン電圧を印加した走査線５（図９の場合は走査線５のラインＬ４）の次にオン電圧を印加すべき走査線５（図９の場合は走査線５のラインＬ５）からオン電圧の印加を開始して画像データＤの生成処理を行う場合が示されているが、例えば連携方式（図８参照）と同様に、走査線５の最初のラインＬ１からオン電圧を順次印加して画像データＤの生成処理を行うように構成することも可能である。
【００５３】
［画像データの生成処理後の各処理について］
連携方式の場合も非連携方式の場合も同様に、本実施形態では、上記のようにして画像データＤの生成処理を行うと、放射線画像撮影装置１は、読み出した画像データＤの中から所定の割合でプレビュー画像用データＤｐを抽出し、抽出したプレビュー画像用データＤｐをコンソールＣに転送する。なお、コンソールＣでは、後述するように、放射線画像撮影装置１から転送されてきたプレビュー画像用データＤｐに基づいてプレビュー画像が生成され、表示部Ｃａ上にプレビュー画像が表示される。
【００５４】
また、放射線画像撮影装置１は、上記のようにしてプレビュー画像用データＤｐを抽出してコンソールＣに転送すると同時に、例えば図１０に示すようにしてオフセットデータＯの読み出し処理を開始する。なお、図１０では、図８に示した連携方式の場合のオフセットデータＯの読み出し処理が記載されている。
【００５５】
すなわち、放射線画像撮影装置１は、上記のようにして画像データＤの生成処理（図８や図９参照）やプレビュー画像用データＤｐの抽出、転送処理を行うと、続いて、図１０の左側の部分に示すように、１フレーム分或いは所定フレーム分の各放射線検出素子７のリセット処理を行った後、電荷蓄積状態に移行する。そして、今度は放射線画像撮影装置１に放射線が照射されない状態で、上記の蓄積時間τと同じ時間に設定された蓄積時間τが経過した時点で、図１０の右側の部分に示すように、ゲートドライバー１５ｂから走査線５の各ラインＬ１〜Ｌｘにオン電圧を順次印加して、上記の画像データＤの生成処理と同様にして各放射線検出素子７からオフセットデータＯを読み出す。
【００５６】
このように、放射線画像撮影装置１に放射線が照射されないことを除けば、画像データＤの生成処理までの処理シーケンスと同じ処理シーケンスを繰り返してオフセットデータＯの読み出し処理が行われるように構成される。なお、図示を省略するが、図９に示した非連携方式の場合も同様に、図９に示した処理シーケンスが繰り返されてオフセットデータＯの読み出し処理が行われる。また、オフセットデータＯの読み出し処理を、撮影前に行うように構成することも可能である。
【００５７】
放射線画像撮影装置１は、このようにしてオフセットデータＯを読み出すと、本実施形態では、コンソールＣからの転送要求があった時点で、上記のプレビュー画像用データＤｐ以外の画像データＤや、上記のようにして各放射線検出素子７から読み出したオフセットデータＯをコンソールＣに転送するように構成されている。なお、オフセットデータＯの読み出し処理が終了すると、すぐに自動的に画像データＤやオフセットデータＯをコンソールＣに転送するように構成することも可能である。
【００５８】
［コンソールの構成等について］
図１や図２に示すように、本実施形態では、コンピューター等で構成されたコンソールＣが前室Ｒｂ（図１の場合）や撮影室外（図２の場合）に設けられている。なお、コンソールＣは適宜の場所に設置可能である。
【００５９】
コンソールＣには、ＣＲＴ（Cathode Ray Tube）やＬＣＤ（Liquid Crystal Display）等で構成される表示部Ｃａが設けられており、また、図示しないマウスやキーボード等の入力手段を備えている。また、コンソールＣには、ＨＤＤ（Hard  Disk Drive）等で構成された記憶手段Ｃｂが接続され、或いは内蔵されている。また、図示を省略するが、コンソールＣには、ネットワークＮ等を介してＨＩＳ（Hospital Information System；病院情報システム）やＲＩＳ（Radiology Information System；放射線科情報システム）、ＰＡＣＳ（Picture Archiving and Communication System）等が接続されている。
【００６０】
［コンソールと撮影室との対応付けについて］
図１に示したように撮影室ＲａとコンソールＣとが予め１：１に対応付けられている放射線画像撮影システム５０では特に問題はないが、図２に示したように、図２に示すように、複数の撮影室Ｒａ（Ｒａ１〜Ｒａ３）と複数のコンソールＣとがネットワークＮ等を介して対応付けられている場合には、放射線技師等の操作者が例えば撮影室Ｒａ１で撮影した画像データＤに対してあるコンソールＣ上で後述する確定処理等を行おうとしても、画像データＤが他のコンソールＣに転送される等して処理を確実に行うことができなくなる可能性がある。
【００６１】
そこで、図２に示したように、複数の撮影室Ｒａと複数のコンソールＣとが対応付けられている放射線画像撮影システム５０においては、撮影前に、放射線技師等の操作者が、１つのコンソールＣ上で、使用する撮影室Ｒａを指定（或いは宣言）する処理を行うように構成される場合が多い。そして、このようにしてあるコンソールＣ上で撮影室Ｒａが指定されると、指定された撮影室Ｒａからは、他のコンソールＣには画像データＤ等は転送されず、当該コンソールＣにのみ画像データＤ等が転送されるようになる。このようにして、コンソールＣと撮影室Ｒａとの対応付けが行われるように構成される。
【００６２】
なお、この場合、例えば、コンソールＣ１上で、撮影室Ｒａ１を使用する撮影室として指定した場合、撮影室Ｒａ１内に存在していた放射線画像撮影装置１が持ち出されて撮影室Ｒａ２のクレードル５５に挿入される等すると、撮影室Ｒａ２はコンソールＣ１と対応付けられていないため、コンソールＣ１では当該放射線画像撮影装置１を制御することができなくなる。また、他の撮影室Ｒａや保管庫等から放射線画像撮影装置１が撮影室Ｒａ１に持ち込まれてクレードル５５に挿入される等すると、コンソールＣ１で当該放射線画像撮影装置１を制御することができるようになる。
【００６３】
［コンソールでの処理について］
次に、コンソールＣにおける撮影時の処理について説明する。また、本実施形態に係る放射線画像撮影システム５０の作用についてもあわせて説明する。
【００６４】
コンソールＣは、放射線技師等の操作者による操作が行われると、ＨＩＳやＲＩＳからこれから行う放射線画像撮影に関する撮影オーダー情報を入手する。本実施形態では、撮影オーダー情報は、例えば図１１に例示するように、患者情報としての「患者ＩＤ」Ｐ２、「患者氏名」Ｐ３、「性別」Ｐ４、「年齢」Ｐ５、「診療科」Ｐ６および撮影条件としての「撮影部位」Ｐ７、「撮影方向」Ｐ８、「体位」Ｐ９等で構成されるようになっている。そして、撮影オーダーを受け付けた順に、各撮影オーダー情報に対して「撮影オーダーＩＤ」Ｐ１が自動的に割り当てられるようになっている。
【００６５】
コンソールＣは、撮影オーダー情報を入手すると、図１２に示すように、表示部Ｃａ上にリスト形式で各撮影オーダー情報の一覧を選択画面Ｈ１上に表示する。選択画面Ｈ１には、各撮影オーダー情報の一覧を表示するための撮影オーダー情報表示欄ｈ１１が設けられており、撮影オーダー情報表示欄ｈ１１の左側には、撮影オーダー情報を選択するための選択ボタンｈ１２が設けられている。また、撮影オーダー情報表示欄ｈ１１の下側には、決定ボタンｈ１３及び戻るボタンｈ１４が設けられている。
【００６６】
そして、操作者が選択ボタンｈ１２をクリックして撮影オーダー情報を選択し、決定ボタンｈ１３をクリックすると、コンソールＣは、表示部Ｃａ上に、例えば図１３に示すような画面Ｈ２を表示する。図１３では、図１２に示した撮影オーダー情報の中から患者「Ａ」に関する４つの撮影オーダー情報が選択された場合が示されている。そして、図１３に示した画面Ｈ２の例では、画面右側の照射条件の設定用の表示Ｉａ上で各項目の「＋」ボタンや「−」ボタンをクリックすることで、放射線照射装置５２に対して管電圧や管電流、照射時間等の照射条件を変更して設定することができるようになっている。
【００６７】
また、画面Ｈ２の左側には、後述するようにフォーカスして表示されているアイコンＩに対応する撮影オーダー情報で指定された撮影部位Ｐ７（図１１や図１２参照）が、放射線技師等の操作者に一目で分かるように表した人体モデルＩｂ上に表示されている。
【００６８】
画面Ｈ２の中央部分には、選択された各撮影オーダー情報に対応する各アイコンＩが表示される。そして、これから行われる撮影に対応するアイコンＩ（図１３の場合はアイコンＩ２）が目立つようにフォーカスして表示されるようになっている。なお、操作者が、フォーカス表示されているアイコンＩに対応する撮影オーダー情報とは別の撮影オーダー情報に基づく撮影を行いたい場合には、当該別の撮影オーダー情報に対応する他のアイコンＩをクリックする等して選択することによってアイコンＩのフォーカス表示を遷移させることができるようになっている。
【００６９】
また、図１３に示した例では、各アイコンＩには、それぞれ長尺撮影用のブッキー装置５１Ａや単純撮影に使用する立位撮影用或いは臥位撮影用のブッキー装置５１Ｂ、５１Ｃ等のモダリティーを表す略図や、設定されている管電圧や管電流、照射時間等が表示されるようになっている。
【００７０】
なお、撮影オーダー情報で、撮影条件として撮影を長尺撮影で行うか単純撮影で行うかを予め指定するように構成することが可能であり、その場合は、コンソールＣは、撮影オーダー情報に指定されている撮影方式すなわち長尺撮影が指定されているか単純撮影が指定されているかに応じて各アイコンＩに表示する略図を決定するように構成される。
【００７１】
［コンソールによる長尺撮影か単純撮影かの判断について］
また、本実施形態のように、撮影オーダー情報（図１１参照）では、撮影を長尺撮影で行うか単純撮影で行うかを指定しないように構成することも可能である。これは、例えば図１１に示したように、撮影部位Ｐ７として「全下肢」が指定されている場合であっても、被写体が成人であれば長尺撮影を行うことが必要になるが、被写体が乳幼児であれば、１個の放射線画像撮影装置１を用いた単純撮影で「全下肢」を撮影することができる。すなわち、撮影オーダー情報上で撮影部位Ｐ７として「全下肢」が指定されていても、必ずしも長尺撮影が行われるとは限らないためである。
【００７２】
そして、このように、撮影オーダー情報上で長尺撮影か単純撮影かを指定しないように構成する場合は、コンソールＣが、撮影オーダー情報に基づいて当該撮影を長尺撮影で行うか単純撮影で行うかを判断するように構成される。そして、その場合、コンソールＣは、被写体である患者の年齢Ｐ５や撮影部位Ｐ７等に基づいて撮影を長尺撮影で行うか単純撮影で行うかを判断するように構成される。
【００７３】
しかし、コンソールＣの判断と、放射線技師等の操作者の判断とが合致しない場合もあり得る。そのため、例えば、コンソールＣが、上記のように撮影オーダー情報に指定された患者の年齢Ｐ５や撮影部位Ｐ７等に基づいて撮影を長尺撮影で行うと判断した場合に、表示部Ｃａ上にその旨を表示し、図示しない「ＹＥＳ」或いは「ＮＯ」のボタンアイコンを表示する等して、操作者の判断を仰ぐように構成することも可能である。
【００７４】
［使用する放射線画像撮影装置の選択について］
また、コンソールＣは、放射線技師等の操作者の操作により、表示部Ｃａ上に、図１４に例示するような放射線画像撮影装置１の選択画面Ｈ３を表示するようになっている。選択画面Ｈ３には、撮影室Ｒａ内に存在する放射線画像撮影装置１に対応するアイコンＩ（図１４の例ではＩ−１ａ、Ｉ−１ｂ、Ｉ−１ｃ）が表示される。
【００７５】
なお、本実施形態では、上記のように、放射線画像撮影装置１が撮影室Ｒａに持ち込まれて、クレードル５５に挿入されたりタグリーダー６０で放射線画像撮影装置１のタグが読まれたりすると、それらの検知手段から放射線画像撮影装置１の識別情報であるカセッテＩＤが中継器５４を介してコンソールＣに送信されてくるため、コンソールＣはそれらを記憶手段Ｃｂの所定の記憶領域に記憶させておくことで、撮影室Ｒａ内にどの放射線画像撮影装置１が存在するかを認識して管理することが可能となる。
【００７６】
そして、上記のように操作者により画面Ｈ２上で所定の操作が行われると、記憶手段Ｃｂの記憶領域から撮影室Ｒａ内に存在する放射線画像撮影装置１のカセッテＩＤを読み出して、選択画面Ｈ３上に、撮影室Ｒａ内に存在する放射線画像撮影装置１に対応するアイコンＩを表示するようになっている。
【００７７】
本実施形態では、コンソールＣは、放射線画像撮影装置１に対応するアイコンＩを表示する際、例えば図１４に示すように、アイコンＩに、当該放射線画像撮影装置１が前述した連携方式と非連携方式のいずれの撮影方式で撮影を行う装置であるかを表示する。連携方式と非連携方式のいずれでも撮影を行うことができる場合には例えば「連携／非連携」等と表示してその旨を通知する。また、アイコンＩに、放射線画像撮影装置１のサイズ（１４×１７インチ等）も表示するようになっている。
【００７８】
なお、以下、連携方式で撮影を行うタイプの放射線画像撮影装置１を連携方式用の放射線画像撮影装置１といい、非連携方式で撮影を行うタイプの放射線画像撮影装置１を非連携方式用の放射線画像撮影装置１という。また、上記のように、アイコンＩに、撮影方式（連携方式用か非連携方式用か）やサイズだけでなく、例えばその放射線画像撮影装置１の解像度やシンチレーター種等をも表示してもよく、表示する内容は適宜決められる。
【００７９】
また、図示を省略するが、このように、放射線画像撮影装置１の撮影方式やサイズ等を、図１４に示したようにアイコンＩ中に文字等で表示する代わりに、或いはそれとともに、色や模様等で表示するように構成することも可能である。すなわち、例えば、連携方式用の放射線画像撮影装置１は青、非連携方式用の放射線画像撮影装置１は赤で表示し、１４×１７インチ、１４×１４インチ、１７×１７インチ等の各サイズをそれぞれ例えば四角（ベタ塗り）、ストライプ、水玉等の各模様で表示する。
【００８０】
このように、放射線画像撮影装置１に対応するアイコンＩに、当該放射線画像撮影装置１の撮影方式やサイズ等を表す色や模様等を表示すると、それらを文字のみで表示する場合に比べて、放射線技師等の操作者が一目で放射線画像撮影装置１の撮影方式やサイズ等を把握することが可能となり、操作者が放射線画像撮影装置１の撮影方式やサイズ等を誤って選択する可能性をより低くすることが可能となる。また、同じ色や模様等を、放射線画像撮影装置１（図６参照）自体の側面等の所定の位置に表示するように構成することで、放射線技師等の操作者が、放射線画像撮影装置１の撮影方式やサイズ等を色や模様等で把握することが可能となり、放射線画像撮影装置１の撮影方式やサイズ等を誤って使用する可能性をより低くすることも可能となる。
【００８１】
また、本実施形態では、コンソールＣは、撮影室Ｒａ内に存在するモダリティーに対応するアイコンＩも選択画面Ｈ３上に表示するようになっている。なお、図１４では、モダリティーとして、撮影室Ｒａ内に長尺撮影用、単純撮影用、および臥位撮影用のブッキー装置５１Ａ、５１Ｂ、５１Ｃが設置されている場合が示されているが、例えば、長尺撮影用のブッキー装置５１Ａのみが設置されている場合は、長尺撮影用のブッキー装置５１Ａに対応するアイコンＩ−５１Ａのみが表示される。
【００８２】
その際、各ブッキー装置５１に対応するアイコンＩは、放射線画像撮影装置１が装填されていない状態では、図１４に示すように例えば枠線が破線状に表示され、放射線画像撮影装置１が装填されている状態では、例えば図１５に示すように枠線が実線状に表示されるとともに、装填されている放射線画像撮影装置１の撮影方式やサイズ等が近傍に表示される。
【００８３】
そして、本実施形態では、放射線技師等の操作者は、この選択画面Ｈ３上で放射線画像撮影装置１に対応するアイコンＩをクリックすることで、これから行う撮影で使用する放射線画像撮影装置１、すなわち図１３に示したようにフォーカス表示されているアイコンＩ（図１３ではアイコンＩ２）に対応する撮影で使用する放射線画像撮影装置１を選択することができるようになっている。
【００８４】
そして、選択画面Ｈ３上で放射線画像撮影装置１に対応するアイコンＩが選択されると、例えば図１６に示すように、選択されたアイコンＩが着色される等して他のアイコンＩの表示態様とは異なる態様で表示されるようになっており（図１６で斜線を付して示されているアイコンＩ−１ｃ参照）、このようにして当該アイコンＩが選択されたことを表示するようになっている。
【００８５】
一方、コンソールＣは、前述した放射線画像撮影装置１の電力消費モードを切り替えるように制御することが可能とされている。すなわち、コンソールＣは、上記のように選択画面Ｈ３上でアイコンＩが選択され、放射線画像撮影装置１が選択されると、選択された放射線画像撮影装置１に切り替え信号を送信して、当該放射線画像撮影装置１の電力消費モードを省電力モードから撮影可能モードに切り替えさせるようになっている。
【００８６】
つまり、本実施形態では、コンソールＣは、選択画面Ｈ３上で放射線画像撮影装置１に対応するアイコンＩが選択されると、上記のように当該アイコンＩの表示態様を、選択されたことを表す表示態様に変えてアイコンＩを表示するとともに、選択されたアイコンＩに対応する放射線画像撮影装置１に切り替え信号を送信して、当該放射線画像撮影装置１の電力消費モードを省電力モードから撮影可能モードに切り替えさせる。
【００８７】
その際、本実施形態では、コンソールＣは、上記のようにしてこれから行われる撮影に関する撮影オーダー情報に基づいて当該撮影が単純撮影であると判断した場合には、撮影室Ｒａ内に存在する各放射線画像撮影装置１のうち、１つの放射線画像撮影装置１のみを撮影可能モードにするように制御するようになっている。
【００８８】
すなわち、これから行われる撮影が単純撮影であると判断した場合に、上記のようにして放射線技師等の操作者により選択画面Ｈ３上である放射線画像撮影装置１に対応するアイコンＩが選択されると、上記のように当該放射線画像撮影装置１に切り替え信号を送信して電力消費モードを撮影可能モードに切り替えさせるが、その際、電力消費モードが撮影可能モードになっている他の放射線画像撮影装置１が存在する場合には、当該他の放射線画像撮影装置１には電力消費モードを省電力モードに切り替えることを指示する信号を送信して、当該他の放射線画像撮影装置１の電力消費モードを撮影可能モードから省電力モードに切り替えさせるようになっている。
【００８９】
また、前述したように、放射線技師等の操作者が放射線画像撮影装置１の切替スイッチ２６（図６参照）を操作する等した場合にも当該放射線画像撮影装置１の電力消費モードを省電力モードから撮影可能モードに切り替えることができる。そして、操作者が放射線画像撮影装置１の電力消費モードを撮影可能モードに切り替えたということは、その放射線画像撮影装置１を用いて撮影を行うことを意図していると考えられる。
【００９０】
そのため、コンソールＣは、例えば、放射線技師等の操作者が、例えば撮影室Ｒａ内である放射線画像撮影装置１の切替スイッチ２６を操作する等して電力消費モードを撮影可能モードに切り替えた場合にも、上記の選択画面Ｈ３上で当該放射線画像撮影装置１に対応するアイコンＩが選択された場合と同様に処理するようになっている。そして、他の放射線画像撮影装置１の電力消費モードが撮影可能モードになっている場合は、上記と同様に当該他の放射線画像撮影装置１の電力消費モードを省電力モードに切り替えさせる。
【００９１】
本実施形態では、コンソールＣは、このようにして、これから行われる撮影が単純撮影であると判断した場合には、撮影室Ｒａ内に存在する一の放射線画像撮影装置１のみの撮影可能な状態（すなわち撮影可能モード）への遷移を許容するように構成されている。
【００９２】
そして、以上のように構成して、これから行われる撮影が単純撮影である場合に、撮影室Ｒａ内に存在する一の放射線画像撮影装置１のみの撮影可能な状態（撮影可能モード）への遷移を許容し、他の放射線画像撮影装置１の電力消費モードを省電力モードとすることで、以下のような有益な効果を得ることが可能となる。
【００９３】
すなわち、他の連携方式用の放射線画像撮影装置１の電力消費モードが撮影可能モードになっていると、撮影時に照射開始信号を送信してきた放射線照射装置５２に対して、撮影に使用しない当該他の放射線画像撮影装置１がインターロック解除信号を返してしまい、撮影に使用する放射線画像撮影装置１がまだ電荷蓄積状態に移行していないにもかかわらず放射線照射装置５２から放射線が照射されてしまうような事態が生じることを的確に防止することが可能となる。
【００９４】
また、他の非連携方式用の放射線画像撮影装置１の電力消費モードが撮影可能モードになっていると、放射線照射装置５２からの放射線の照射が開始された時点で当該他の放射線画像撮影装置１が放射線の照射開始を検出してしまい、電荷蓄積状態に移行した後、画像データＤの生成処理を行って、プレビュー画像用データＤｐや画像データＤ等をコンソールＣに転送してしまうため、撮影後、撮影に使用した放射線画像撮影装置１と撮影に使用しない放射線画像撮影装置１の複数の放射線画像撮影装置１からプレビュー画像用データＤｐや画像データＤ等がコンソールＣに転送されてしまうような事態が生じることを的確に防止することが可能となる。
【００９５】
そのため、上記のように構成することで、単純撮影を行う場合に、上記のような混乱が生じることを的確に防止して、単純撮影を的確に行うことが可能となる。また、連携方式用の放射線画像撮影装置１の場合も、非連携方式用の放射線画像撮影装置１の場合も、撮影に使用しない放射線画像撮影装置１の電力消費モードを省電力モードに切り替えることで、放射線画像撮影装置１で電力が無駄に消費されてしまうことを的確に防止することが可能となるといったメリットもある。
【００９６】
一方、これから行われる撮影が長尺撮影である場合には、長尺撮影に用いる複数の放射線画像撮影装置１の電力消費モードが同時に撮影可能モードになっていることが必要になる。そのため、コンソールＣは、これから行われる撮影が長尺撮影であると判断した場合には、選択画面Ｈ３上で、撮影室Ｒａ内に存在する複数の放射線画像撮影装置１に対応する各アイコンＩを選択することを可能とし、複数の放射線画像撮影装置１の撮影可能な状態（すなわち撮影可能モード）への遷移を許容するようになっている。
【００９７】
このように構成することで、これから行われる撮影が長尺撮影である場合には、撮影室Ｒａ内に存在する複数の放射線画像撮影装置１の撮影可能な状態（撮影可能モード）への遷移を許容して、長尺撮影を的確に行うことが可能となる。
【００９８】
［効果］
以上のように、本実施形態に係る放射線画像撮影システム５０によれば、コンソールＣが、撮影オーダー情報に基づいて、撮影が長尺撮影であると判断した場合には、撮影室Ｒａ内に存在する複数の放射線画像撮影装置１の撮影可能な状態（すなわち撮影可能モード）への遷移を許容し、撮影が長尺撮影ではない（すなわち単純撮影である）と判断した場合には、撮影室Ｒａ内に存在する一の放射線画像撮影装置１のみの撮影可能な状態への遷移を許容するように構成することで、これから行われる撮影が単純撮影の場合も長尺撮影の場合も、それぞれの撮影を的確に行うことが可能となる。
【００９９】
なお、図２に示したように、放射線画像撮影システム５０が、複数の撮影室Ｒａ（Ｒａ１〜Ｒａ３）と単数または複数のコンソールＣとが対応付けられて構成されている場合も、同様に、コンソールＣが、撮影オーダー情報に基づいて、撮影が長尺撮影であると判断した場合には、上記のようにしてコンソールＣと対応付けられた撮影室Ｒａ内に存在する複数の放射線画像撮影装置１の撮影可能な状態への遷移を許容し、撮影が長尺撮影ではないと判断した場合には、対応付けられた撮影室Ｒａ内に存在する一の放射線画像撮影装置１のみの撮影可能な状態への遷移を許容するように構成することで、これから行われる撮影が単純撮影の場合も長尺撮影の場合も、それぞれの撮影を的確に行うことが可能となる。
【０１００】
また、これから行われる撮影が単純撮影である場合も長尺撮影である場合も同様であるが、使用する放射線画像撮影装置１が選択されたにもかかわらず、適切なブッキー装置５１に装填されていない場合に、コンソールＣや、撮影室Ｒａ内に設けた図示しない警報装置等からビープ音を発声させる等して、放射線画像撮影装置１がブッキー装置５１に装填されていない旨を放射線技師等の操作者に警告する等の必要な措置が適宜取られる。
【０１０１】
さらに、上記では、放射線画像撮影装置１の撮影可能な状態として、放射線画像撮影装置１の電力消費モードが撮影可能モードである状態である場合を例示して説明したが、この他にも、例えば、電源がオフの状態の放射線画像撮影装置１の電源をオンすることで放射線画像撮影装置１を撮影可能な状態にするように構成することも可能であり、放射線画像撮影装置１の撮影可能な状態は、放射線画像撮影装置１の電力消費モードが撮影可能モードである状態である場合に限定されない。
【０１０２】
［コンソールにおけるその後の処理について］
前述したように、撮影が連携方式で行われる場合も非連携方式で行われる場合も、撮影が終了すると、放射線画像撮影装置１からプレビュー画像用データＤｐがコンソールＣに転送されてくる。そのため、コンソールＣは、転送されてきたプレビュー画像用データＤｐに対して所定の画像処理を施してプレビュー画像ｐ_preを生成し、例えば図１７に示すように、画面Ｈ２上でフォーカス表示されているアイコンＩ、すなわち当該撮影に関する撮影オーダー情報に対応するアイコンＩ（図１３のアイコンＩ２参照）の位置に、プレビュー画像ｐ_preを表示する。なお、プレビュー画像ｐ_preを画面Ｈ２上に拡大表示してもよい。
【０１０３】
なお、単純撮影の場合も長尺撮影の場合も同様であるが、前述したように、放射線画像撮影装置１がＪＩＳ規格サイズに準拠するサイズで形成されている場合、放射線画像撮影装置１をブッキー装置５１に装填する際の放射線画像撮影装置１の上下や左右の向きが正しい向きではなく、逆になっている（すなわち１８０°回転してしまっている）可能性がある。そのため、各放射線画像撮影装置１から読み取られた画像をそのまま表示すると、プレビュー画像ｐ_preや後述する放射線画像ｐが正しくない向きで表示されてしまう虞れがある。そのため、そのような場合には、特許３７３１４００号公報や特開２０００−１５７５１９号公報に記載されている被写体部位認識処理や表示回転処理を用いて、各画像を正しい向き（すなわち読影に相応しい向き）に表示したり、合成された長尺画像を正しい向きに表示することが可能である。
【０１０４】
そして、プレビュー画像ｐ_preを見た放射線技師等の操作者が、再撮影が必要であると判断して例えば当該アイコンＩの「ＮＧ」ボタンアイコンをクリックする等した場合には、コンソールＣは、当該プレビュー画像ｐ_pre等の情報を破棄するとともに、放射線画像撮影装置１に再撮影を行う旨を指示する。そして、当該指示を受けた放射線画像撮影装置１は、その時点で行っているオフセットデータＯの読み出し処理等を停止し、各放射線検出素子７のリセット処理を再開する等して再撮影に向けた準備を行う。
【０１０５】
また、プレビュー画像ｐ_preを見た放射線技師等の操作者が、当該アイコンＩの「ＯＫ」ボタンアイコンをクリックした場合や、コンソールＣがプレビュー画像ｐ_preを表示してから所定時間の間に「ＮＧ」ボタンアイコンがクリックされない場合には、操作者によりプレビュー画像ｐ_preが承認され、再撮影は不要と判断されたものと判断して、当該放射線画像撮影装置１に対して転送要求を行う。
【０１０６】
放射線画像撮影装置１は、転送要求を受けると、プレビュー画像用データＤｐ以外の画像データＤやオフセットデータＯをコンソールＣに転送する。そして、コンソールＣは、上記のように放射線画像撮影装置１から画像データＤやオフセットデータＯ等が転送されてくると、下記（１）式に従って各放射線検出素子７ごとに画像データＤからオフセットデータＯを減算して真の画像データＤ＊を算出する。
Ｄ＊＝Ｄ−Ｏ    …（１）
【０１０７】
そして、算出した真の画像データＤ＊に対してゲイン補正や欠陥画素補正、撮影部位に応じた階調処理等の画像処理を行って放射線画像を生成し、生成した放射線画像ｐをプレビュー画像ｐ_pre上に上書き表示する。
【０１０８】
そして、放射線画像ｐを見た操作者により、必要に応じて画像の微調整等が行われた後、アイコンＩの「ＯＫ」ボタンアイコンがクリックされる等して確定処理が行われると、コンソールＣは、生成した放射線画像ｐのデータ等を当該撮影に関する撮影オーダー情報に対応付けて確定させ、確定した撮影オーダー情報および放射線画像ｐ等を、必要に応じてＰＡＣＳ等の外部システムに送信するように構成される。
【０１０９】
一方、長尺撮影の場合には、例えば図１に示した３個の放射線画像撮影装置１から画像データＤとオフセットデータＯとがそれぞれコンソールＣに転送されてくる。そこで、コンソールＣは、上記の単純撮影の場合と同様にして、各放射線画像撮影装置１から転送されてきた画像データＤとオフセットデータＯに基づいて、図１８（Ａ）に示すように真の画像データＤ＊（すなわち図中のＤ＊１〜Ｄ＊３）をそれぞれ算出する。なお、以下、真の画像データＤ＊を単に画像データＤ＊という。
【０１１０】
そして、コンソールＣは、各画像データＤ＊１〜Ｄ＊３の端部同士の位置合わせを行い、複数の画像データＤ＊１〜Ｄ＊３を合成して、１枚の長尺画像データＤ＊longを生成するように構成される。その際、前述したように（図１参照）、本実施形態では、放射線照射装置５２から１回だけ放射線を照射して（すなわち１ショットで）撮影を行うことができるため、被写体Ｈの体動の問題が生じることがない。そのため、各画像データＤ＊１〜Ｄ＊３を的確に合成して長尺画像データＤ＊longを生成することが可能となる。
【０１１１】
なお、各画像データＤ＊１〜Ｄ＊３の位置合わせや合成処理等については、例えば特開２０１３−１５４１４６号公報等に記載された公知の方法を用いることが可能である。また、長尺撮影においても、画像データＤ等が転送されてくる前に、各放射線画像撮影装置１からそれぞれプレビュー画像用データＤｐがコンソールＣに転送されてくる。そのため、コンソールＣは、各放射線画像撮影装置１から転送されてきたプレビュー画像用データＤｐに対して所定の画像処理を施して各プレビュー画像ｐ_preを生成し、それらを合成したプレビュー画像ｐ_preを画面Ｈ２上に表示する。
【０１１２】
また、複数の放射線画像撮影装置１からプレビュー画像用データＤｐや画像データＤ等がほぼ同時に無線通信で転送されると、無線通信がそれぞれ干渉を生じる可能性があるため、例えば、各放射線画像撮影装置１からコンソールＣに異なるチャンネルを介してデータの転送を行うように構成することが可能である。
【０１１３】
さらに、上記と同様に、複数の放射線画像撮影装置１が長尺撮影用のブッキー装置５１Ａに装填される際に正しい向きに装填されていないと、各画像データＤ＊１〜Ｄ＊３の端部同士の位置合わせや合成処理を短時間で適切に行うことができない。そのため、このような場合には、長尺撮影においても、通常、放射線照射装置５２から放射線が被写体Ｈに照射野が絞られた状態で照射されることを利用して位置合わせや合成処理を行うことが可能である。
【０１１４】
具体的には、このように照射野が絞られた状態で放射線が照射されるため、長尺撮影用のブッキー装置５１Ａに装填された例えば３個の放射線画像撮影装置１（図１参照）のうち、下端に配置された放射線画像撮影装置１で生成された画像データＤ＊１の下端部分（図１８（Ａ）参照）には放射線が照射されず、被写体Ｈが撮影されていない場合が多い。また、上端に配置された放射線画像撮影装置１で生成された画像データＤ＊３の上端部分にも放射線が照射されず、被写体Ｈが撮影されていない場合が多い。それに対し、中央に配置された放射線画像撮影装置１で生成された画像データＤ＊２では、上端部分にも下端部分にも放射線が到達しており、被写体Ｈが撮影されている。
【０１１５】
そのため、例えば、コンソールＣは、生成した３枚の画像データＤ＊１〜Ｄ＊３についてそれぞれ上端部分と下端部分の画像データのプロファイル（すなわちエッジの有無等）を見て、上端部分と下端部分にいずれも被写体Ｈが撮影されてできる濃淡がある画像データＤ＊２を、長尺撮影用のブッキー装置５１Ａに装填された３個の放射線画像撮影装置１のうちの中央に配置された放射線画像撮影装置１で生成された画像データであると判別する。
【０１１６】
そして、例えば、各画像データＤ＊１〜Ｄ＊３の端部部分のパターンマッチングを行う等して、中央に配置された放射線画像撮影装置１で生成された画像データＤ＊２を基準として、下側に配置された放射線画像撮影装置１で生成された画像データＤ＊１と上側に配置された放射線画像撮影装置１で生成された画像データＤ＊３とを判別して、位置合わせや合成処理を行うように構成することができる。なお、この場合も、合成して生成された長尺画像データＤ＊longが、全体的に上下が反転してしまっている可能性があるが、この場合は、例えば、合成して生成された１枚の長尺画像データＤ＊longに対して、上記の表示回転処理等を適用して正しい向きに表示することが可能である。
【０１１７】
なお、長尺撮影を行う際に、複数の放射線画像撮影装置１で、前述した蓄積時間τ（図８や図９等参照）が異なる時間に設定されていると、撮影後、各放射線画像撮影装置１から異なるタイミングでプレビュー画像用データＤｐや画像データＤ等が転送されてくる状態になり、コンソールＣでの処理が行い難くなる。
【０１１８】
そのため、例えば、コンソールＣから、長尺撮影に用いられる複数の放射線画像撮影装置１に対して、特定の蓄積時間τの情報を送信し、少なくとも長尺撮影を行う間は、この特定の蓄積時間τに基づいて各放射線画像撮影装置１で処理を行うように制御するように構成することが可能である。或いは、省電力モードにある他の放射線画像撮影装置１も含めて、コンソールＣから全ての放射線画像撮影装置１に対して、特定の蓄積時間τの情報を送信して、少なくとも長尺撮影を行う間、この特定の蓄積時間τを全ての放射線画像撮影装置１に設定するように構成することも可能である。なお、これらの場合、長尺撮影後、各放射線画像撮影装置１の蓄積時間τは、元の蓄積時間τに戻される。
【０１１９】
そして、長尺撮影の場合も、単純撮影の場合と同様に、コンソールＣが生成して表示した長尺撮影の放射線画像ｐを見た操作者により、必要に応じて画像の微調整等が行われた後、アイコンＩの「ＯＫ」ボタンアイコンがクリックされる等して確定処理が行われると、コンソールＣは、生成した長尺撮影の放射線画像ｐのデータ等を当該撮影に関する撮影オーダー情報に対応付けて確定させ、確定した撮影オーダー情報および長尺撮影の放射線画像ｐ等を、必要に応じてＰＡＣＳ等の外部システムに送信するように構成される。
【０１２０】
［具体的なケースについて］
次に、上記の放射線画像撮影システム５０を適用する際に生じ得る具体的なケースについて説明する。
【０１２１】
［放射線照射装置がインターロック制御を受ける場合について］
前述したように、放射線照射装置５２がインターロック制御を受ける場合、すなわち、曝射スイッチ５６が全押し操作されると（図５（Ｃ）参照）、放射線画像撮影装置１に対して照射開始信号を送信し、放射線画像撮影装置１からのインターロック解除信号を受信した時点で初めて放射線を照射するタイプの放射線照射装置５２である場合について説明する。
【０１２２】
連携方式用の放射線画像撮影装置１を用いて単純撮影を行う場合には、上記のように、放射線画像撮影装置１と放射線照射装置５２との間で信号（照射開始信号やインターロック解除信号等）のやり取りを行って放射線画像撮影を行うことができる。
【０１２３】
また、複数の連携方式用の放射線画像撮影装置１を用いて長尺撮影を行う場合には、放射線照射装置５２からの照射開始信号に対して、複数の放射線画像撮影装置１がそれぞれ独自にインターロック解除信号を送信すると、放射線照射装置５２は最初のインターロック解除信号を受信した時点で放射線を照射してしまい、まだ電荷蓄積状態に移行していない放射線画像撮影装置１に放射線が照射されてしまう虞れがある。
【０１２４】
そのため、このような場合は、全ての放射線画像撮影装置１からインターロック解除信号が送信されてきた時点で放射線を照射するように放射線照射装置５２を構成することが可能である。しかし、この場合、放射線照射装置５２のプログラムの書き換え等が必要になる。そのため、例えば、放射線照射装置５２と各放射線画像撮影装置１との間の信号のやり取りを、中継器５４（図１や図２参照）やコンソールＣを中継して行うように構成し、中継器５４やコンソールＣが、全ての放射線画像撮影装置１からのインターロック解除信号が出揃うまで放射線照射装置５２にインターロック解除信号を送信せず、全ての放射線画像撮影装置１からのインターロック解除信号が出揃った時点で放射線照射装置５２にインターロック解除信号を送信するように構成することが可能である。
【０１２５】
一方、非連携方式用の放射線画像撮影装置１を用いて単純撮影や長尺撮影を行う場合、非連携方式では、上記のように放射線画像撮影装置１と放射線照射装置５２との間で信号（照射開始信号やインターロック解除信号等）のやり取りを行わないため、放射線照射装置５２が照射開始信号を送信しても、放射線画像撮影装置１からはいつまで経ってもインターロック解除信号が送信されず、放射線照射装置５２は放射線を照射することができない。
【０１２６】
そのため、このような場合は、放射線照射装置５２と、コンソールＣや中継器５４とを結び、放射線照射装置５２から照射開始信号が送信されると、コンソールＣや中継器５４からインターロック解除信号に相当するダミーの信号を送信して、放射線照射装置５２から放射線を照射させるように構成することができる。そして、放射線照射装置５２から放射線が照射されると、放射線画像撮影装置１は自ら放射線の照射開始を検出して電荷蓄積状態に移行して的確に撮影を行うことができる。
【０１２７】
なお、長尺撮影を行う際、長尺撮影用のブッキー装置５１Ａに、連携方式用の放射線画
像撮影装置１と非連携方式用の放射線画像撮影装置１とが混在する状態で装填された場合には、例えば、コンソールＣが、長尺撮影用のブッキー装置５１Ａに装填されている連携方式用の放射線画像撮影装置１を把握し、放射線照射装置５２と放射線画像撮影装置１との間の信号等のやり取りを中継するように構成する。そして、コンソールＣが、放射線照射装置５２から送信された照射開始信号を連携方式の放射線画像撮影装置１に送信し、それらの放射線画像撮影装置１からのインターロック解除信号が出揃った時点で、放射線照射装置５２にインターロック解除信号を送信するように構成することで、上記のような場合でも長尺撮影を的確に行うことが可能となる。
【０１２８】
［放射線照射装置がインターロック制御を受けない場合について］
しかし、放射線照射装置５２の中には、上記のようなインターロック制御を受けず、曝射スイッチ５６が全押し操作されると（図５（Ｃ）参照）、すぐに放射線を照射するタイプの放射線照射装置５２もある。そして、このような放射線照射装置５２が設置されている撮影室Ｒａで、連携方式用の放射線画像撮影装置１を用いて単純撮影や長尺撮影を行うと、放射線照射装置５２から照射開始信号が送信されないまま放射線が照射される。
【０１２９】
そのため、放射線画像撮影装置１が、撮影前の各放射線検出素子７のリセット処理を行っている最中に放射線が照射される状態になり、撮影を的確に行うことができない。このように、放射線照射装置５２がインターロック制御を受けないタイプの装置である場合には、撮影に連携方式用の放射線画像撮影装置１を使用することはできない。
【０１３０】
そこで、撮影室Ｒａに設置されている放射線照射装置５２がインターロック制御を受けない装置である場合に、撮影に使用する放射線画像撮影装置１として連携方式用の放射線画像撮影装置１が選択された場合には、コンソールＣが、或いはコンソールＣから指示を受けた撮影室Ｒａ内の警報装置が、選択された放射線画像撮影装置１は撮影に使用することができない旨を、音や表示等により、放射線技師等の操作者に警告するように構成することが可能である。
【０１３１】
［ブッキー装置の構成等について］
また、以上の説明においては、例えばブッキー装置５１に装填された放射線画像撮影装置１が連携方式用であるか非連携方式用であるかやそのサイズ等を、コンソールＣが認識することができることを前提として説明した（例えば図１５等参照）。
【０１３２】
そして、これは、ブッキー装置５１に放射線画像撮影装置１を装填する際に、例えば図１９に示すように、放射線画像撮影装置１のコネクター２７（図６参照）とブッキー装置５１のコネクター５１ｂとを接続した時点で、ケーブル５１ｃを介してブッキー装置５１からコンソールＣに、装填された放射線画像撮影装置１の識別情報であるカセッテＩＤと、当該ブッキー装置５１の識別情報（以下、ブッキーＩＤという。）を送信する。そして、コンソールＣは、病院等の施設内に存在する放射線画像撮影装置１の識別情報と、撮影方式（連携方式用か非連携方式用か）やサイズ等とを対応付けたリストを有しておき、ブッキー装置５１からカセッテＩＤやブッキーＩＤ等が送信されてくると、そのリストを参照するように構成することで、どのブッキー装置５１にどの放射線画像撮影装置１が装填されたかをコンソールＣが認識することができる。
【０１３３】
また、ブッキー装置５１に、前述したＲＦＩＤタグを読み取るタグリーダーを取り付けたり、或いは、バーコードリーダーを取り付けておき放射線画像撮影装置１が装填される際に装置に貼付されたバーコードをバーコードリーダーで読むようにして、タグリーダーやバーコードリーダー等の読取手段で放射線画像撮影装置１のカセッテＩＤ等を読み取るように構成することも可能である。
【０１３４】
［コネクターを備えないブッキー装置を用いて長尺撮影を行う場合について］
ところで、ブッキー装置５１の中には、従来のスクリーンフィルムを内蔵するカセッテや輝尽性蛍光体シート等を内蔵するＣＲカセッテ等を装填するように構成されたブッキー装置５１もある。そして、このようなブッキー装置５１には、上記のようなコネクター５１ｂが設けられていない場合も少なくない。
【０１３５】
そのため、このようなブッキー装置５１を用いて撮影を行う場合は、放射線画像撮影装置１がコネクター２７（図６参照）を介した有線通信で放射線照射装置５２と信号のやり取りを行えないため、撮影を連携方式で行うことが必ずしも容易ではない。そのため、このようにコネクター５１ｂを備えないブッキー装置５１を用いて撮影を行う場合には、非連携方式用の放射線画像撮影装置１をブッキー装置５１に装填して撮影を行うように構成することが好ましい。
【０１３６】
一方、上記のように、本実施形態では、コンソールＣは、上記のように被写体である患者の年齢Ｐ５や撮影部位Ｐ７等（図１１や図１２参照）に基づいて撮影を長尺撮影で行うか単純撮影で行うかを判断し、これから行われる撮影が長尺撮影であると判断すると、撮影室Ｒａ内に存在する複数の放射線画像撮影装置１の電力消費モードを省電力モードから撮影可能モードに切り替えたり、放射線技師等の操作者が放射線画像撮影装置１の切替スイッチ２６（図６参照）を操作して放射線画像撮影装置１の電力消費モードを撮影可能モードに切り替えることを許容する。
【０１３７】
しかし、長尺撮影の場合、放射線技師等の操作者は、上記のようにコネクター５１ｂを備えない長尺撮影用のブッキー装置５１Ａに例えば３個の非連携方式用の放射線画像撮影装置１を装填しなければならず、装填すべき非連携方式用の放射線画像撮影装置１を取り違える可能性がある。そして、その場合、電力消費モードが省電力モードのままの放射線画像撮影装置１を誤って装填してしまうと、その放射線画像撮影装置１では放射線の照射開始を検出できず、その放射線画像撮影装置１の部分の画像データＤが得られないため、結局、再撮影を行わなければならなくなる。
【０１３８】
そこで、このような事態が生じることを防止するため、例えば、上記のようにコネクター５１ｂを備えない長尺撮影用のブッキー装置５１Ａに複数の非連携方式用の放射線画像撮影装置１を装填して長尺撮影を行う場合、コンソールＣは、撮影室Ｒａ内に存在する全ての非連携方式用の放射線画像撮影装置１の電力消費モードを省電力モードから撮影可能モードに切り替えるように構成することが可能である。また、上記の場合に、放射線技師等の操作者が撮影室Ｒａ内の非連携方式用の放射線画像撮影装置１の切替スイッチ２６を操作して電力消費モードを撮影可能モードに切り替えることを許容するようにコンソールＣを構成することが可能である。
【０１３９】
このように構成して、撮影室Ｒａ内の全ての非連携方式用の放射線画像撮影装置１の電力消費モードを撮影可能モードに切り替えるように構成すれば、長尺撮影用のブッキー装置５１Ａに装填され、放射線が照射された非連携方式用の放射線画像撮影装置１は、放射線の照射開始を検出して電荷蓄積状態に移行した後、画像データＤを的確に生成してプレビュー画像用データＤｐや画像データＤ等をコンソールＣに転送してくる。また、長尺撮影用のブッキー装置５１Ａに装填されていない非連携方式用の放射線画像撮影装置１には放射線が照射されないため、画像データＤの生成処理も転送処理も行わない。
【０１４０】
そのため、上記のように構成すれば、仮に長尺撮影用のブッキー装置５１Ａに装填する非連携方式用の放射線画像撮影装置１を操作者が取り違えて装填しても、長尺撮影で放射線が照射された例えば３個の非連携方式用の放射線画像撮影装置１のみからコンソールＣに画像データＤ等が転送されてくる状態になる。そのため、コンソールＣは、これらの放射線画像撮影装置１から転送されてきた画像データＤ等に基づいて複数の画像データＤ＊１〜Ｄ＊３を合成して１枚の長尺画像データＤ＊longを的確に生成することが可能となり（図１８（Ａ）、（Ｂ）参照）、長尺撮影を的確に行うことが可能となるため、上記のように再撮影を行わなければならなくなるような事態が生じることを的確に防止することが可能となる。
【０１４１】
なお、この場合も、コネクター５１ｂを備えない長尺撮影用のブッキー装置５１ＡにＲＦＩＤタグを読み取るタグリーダーや、バーコードを読み取るバーコードリーダーを取り付けて、タグリーダーやバーコードリーダー等の読取手段で装填された放射線画像撮影装置１のカセッテＩＤ等を読み取り、装填された放射線画像撮影装置１がコンソールＣ上で選択された放射線画像撮影装置１と異なる場合に音声や表示等で警告する等の構成を設けることが可能であることは言うまでもない。
【０１４２】
［コネクターを備えるブッキー装置を用いて長尺撮影を行う場合について］
一方、コネクター５１ｂを備える長尺撮影用のブッキー装置５１Ａに複数の放射線画像撮影装置１を装填して長尺撮影を行う場合は、図１９に示したように、ブッキー装置５１のコネクター５１ｂと放射線画像撮影装置１のコネクター２７とを接続し、ケーブル５１ｃを介して放射線画像撮影装置１と放射線照射装置５２とが信号のやり取りを行うことが可能となるため、撮影を連携方式で行うことができる。そのため、この場合は、コネクター５１ｂを備える長尺撮影用のブッキー装置５１Ａに装填する放射線画像撮影装置１として、連携方式用の放射線画像撮影装置１を用いることができる。
【０１４３】
また、長尺撮影用のブッキー装置５１Ａがコネクター５１ｂを備える場合であっても、上記と同様に、ブッキー装置５１Ａに複数の非連携方式用の放射線画像撮影装置１を装填して撮影を行うことも可能である。この場合、複数の非連携方式用の放射線画像撮影装置１は、それぞれコネクター２７がブッキー装置５１Ａのコネクター５１ｂと接続された状態で装填され、ケーブル５１ｃ（図１９参照）を介した放射線照射装置５２と信号のやり取りは行わないが、ケーブル５１ｃを介して外部から電力の供給を受けることが可能となる。
【０１４４】
なお、長尺撮影用のブッキー装置５１Ａがコネクター５１ｂを備える場合であっても、上記のように放射線照射装置５２がインターロック制御を受けないタイプの装置である場合には、長尺撮影用のブッキー装置５１Ａに装填される放射線画像撮影装置１は非連携方式用の放射線画像撮影装置でなければならないことは前述した通りである。
【０１４５】
［コンソールによる長尺撮影の可、不可の判断等について］
一方、上記のように、長尺撮影用のブッキー装置５１Ａに複数の放射線画像撮影装置１を装填する際にブッキー装置５１Ａのコネクター５１ｂを放射線画像撮影装置１のコネクター２７に接続して放射線画像撮影装置１の識別情報であるカセッテＩＤをコンソールＣに送信したり、或いは、前述したタグリーダーやバーコードリーダーで装填された放射線画像撮影装置１のカセッテＩＤを読み取ってコンソールＣに送信することで、コンソールＣは、長尺撮影用のブッキー装置５１Ａのどの装填位置にどの放射線画像撮影装置１が装填されたかを判断することが可能となり、その状態で長尺撮影を行うことができるか否かを判断することができるようになる。
【０１４６】
すなわち、コンソールＣは、長尺撮影用のブッキー装置５１Ａのコネクター５１ｂやタグリーダー、バーコードリーダー等の読取手段で読み取った、装填された放射線画像撮影装置１のカセッテＩＤに基づいて長尺撮影が可能であるか否かを判断することが可能となる。
【０１４７】
なお、以下では、読取手段がブッキー装置５１Ａのコネクター５１ｂである場合について説明するが、ブッキー装置５１Ａの各装填位置にタグリーダーやバーコードリーダー等の読取手段を設けても、コネクター５１ｂの場合と全く同様に機能させることが可能である。また、以下では、例えば図２０（Ａ）等に示すように、長尺撮影用のブッキー装置５１Ａに放射線画像撮影装置１を３個まで装填することができる場合について説明するが、放射線画像撮影装置１を２個装填することができるように構成されている場合や４個以上装填することができるように構成されている場合も同様に説明することができる。
【０１４８】
具体的には、例えば図２０（Ａ）の略図に示すように、長尺撮影用のブッキー装置５１Ａに例えば３つの装填位置α、β、γが設けられており、それぞれに１個ずつ計３個の放射線画像撮影装置１を装填することが可能であるとする。この場合は、ブッキー装置５１Ａの各装填位置α、β、γにそれぞれコネクター５１ｂα、５１ｂβ、５１ｂγが設けられており、コネクター５１ｂα、５１ｂβ、５１ｂγは、放射線画像撮影装置１が装填されるとそのコネクター２７（図２０（Ａ）等では図示省略）にそれぞれ接続される。
【０１４９】
そして、長尺撮影用のブッキー装置５１Ａは、装填される放射線画像撮影装置１のコネクター２７と、各装填位置α、β、γのコネクター５１ｂα、５１ｂβ、５１ｂγのいずれかが接続されると、放射線画像撮影装置１のカセッテＩＤを読み取り、読み取ったカセッテＩＤを、放射線画像撮影装置１に接続されたコネクター５１ｂの識別情報（以下、コネクターＩＤという。）とともにコンソールＣに送信する。
【０１５０】
コンソールＣは、長尺撮影用のブッキー装置５１Ａから送信されてきたカセッテＩＤとコネクターＩＤとを対応付けて記憶手段Ｃｂに保存して管理するとともに、長尺撮影用のブッキー装置５１Ａのどの装填位置α、β、γにどの放射線画像撮影装置１が装填されたかを認識する。
【０１５１】
そして、例えば図２０（Ａ）に示すように、長尺撮影用のブッキー装置５１Ａの各装填位置α、β、γに放射線画像撮影装置１がそれぞれ装填されていれば、長尺撮影を行うことができる。そして、コンソールＣが長尺撮影が可能であると判断した場合には、その長尺撮影用のブッキー装置５１Ａに装填されている複数の放射線画像撮影装置の電力消費モードを省電力モードから撮影可能モードに切り替える等して撮影可能な状態に遷移させるように構成される。
【０１５２】
このように構成すれば、長尺撮影が可能な状況では、長尺撮影用のブッキー装置５１Ａに装填されている複数の放射線画像撮影装置１が的確に撮影可能な状態に遷移されるため、長尺撮影を的確に行うことが可能となる。
【０１５３】
また、コンソールＣは、図示を省略するが、例えば、長尺撮影用のブッキー装置５１Ａの装填位置α、β、γのいずれかに１個の放射線画像撮影装置１のみが装填されている場合には、長尺撮影が可能ではない（すなわち長尺撮影を行うことができない）と判断するように構成される。
【０１５４】
さらに、例えば図２０（Ｂ）に示すように、長尺撮影用のブッキー装置５１Ａに複数の放射線画像撮影装置１が装填されているが、複数の放射線画像撮影装置１が装填されている装填位置が連続していない場合、すなわち装填位置α、γには放射線画像撮影装置１がそれぞれ装填されているが、その間の装填位置βには放射線画像撮影装置１が装填されていないような場合には、長尺撮影を行うことができない。
【０１５５】
そのため、コンソールＣは、長尺撮影用のブッキー装置５１Ａに装填されている複数の放射線画像撮影装置１の装填位置α、β、γが連続していない場合にも長尺撮影が可能で
はないと判断するように構成される。
【０１５６】
そして、コンソールＣは、長尺撮影用のブッキー装置５１Ａが使用されている（すなわち放射線画像撮影装置１が装填されている）にもかかわらず、長尺撮影が可能ではないと判断した場合には、長尺撮影ができない旨を、例えばコンソールＣの表示部Ｃａ上に表示したり音声を発したり、或いは撮影室Ｒａ内に設けた音声や表示等による報知手段を介して放射線技師等の操作者に報知するように構成される。
【０１５７】
このように構成すれば、長尺撮影が可能ではない状況で、放射線技師等の操作者が放射線照射装置５２から放射線を照射させる前に、現在の状況では長尺撮影を行うことができないことを的確に報知することが可能となり、長尺撮影ができない状況で放射線を照射させてしまうことを的確に防止することが可能となる。
【０１５８】
なお、図示を省略するが、例えば図２０（Ｂ）に示した状態から、装填位置αの放射線画像撮影装置１を装填位置βに装填し直したり、装填位置γの放射線画像撮影装置１を装填位置βに装填し直せば、長尺撮影用のブッキー装置５１Ａ内において複数の放射線画像撮影装置１の装填位置が連続した状態になる。そして、このように複数の放射線画像撮影装置１の装填位置が連続していればコンソールＣが長尺撮影可能であると判断するように構成することが可能である。
【０１５９】
また、図示を省略するが、上記のように、長尺撮影が行われるにもかかわらず、長尺撮影用のブッキー装置５１Ａに１個の放射線画像撮影装置１しか装填されていなかったり、或いは複数の放射線画像撮影装置１の装填位置α、β、γが連続していない状態（図２０（Ｂ）参照）を、コンソールＣの表示部Ｃａ上に拡大表示して放射線技師等の操作者の注意を喚起するように構成することも可能である。
【０１６０】
さらに、図２０（Ｂ）に示した状態から装填位置αの放射線画像撮影装置１を装填位置βに装填し直したり装填位置γの放射線画像撮影装置１を装填位置βに装填し直した状態をコンソールＣの表示部Ｃａ上に表示し、２個の放射線画像撮影装置１で長尺撮影を行うことができるか否か等を操作者に判断させるように構成することも可能である。
【０１６１】
また、例えば図２０（Ａ）に示したように、長尺撮影用のブッキー装置５１Ａに３個の放射線画像撮影装置１が装填された場合であっても、例えば、前述したように、放射線照射装置５２がインターロック制御を受けないタイプの装置である場合に、連携方式用の放射線画像撮影装置１が装填されていると撮影を行うことができない。そのため、このような場合に、送信されてきたカセッテＩＤに基づいて装填されている放射線画像撮影装置１が連携方式用の放射線画像撮影装置１であることが判明した場合には、コンソールＣは、長尺撮影が可能ではないと判断するように構成される。そして、この場合は、例えば、コンソールＣが、非連携方式用の放射線画像撮影装置１に装填し直すように報知するように構成することが好ましい。
【０１６２】
［装填されている複数の放射線画像撮影装置のサイズや配置について］
一方、図２１（Ａ）に示すように、長尺撮影用のブッキー装置５１Ａに装填されている複数の放射線画像撮影装置１のサイズが異なっている場合があり得る。なお、図２１（Ａ）では装填位置α、γに例えば１４×１７インチ、装填位置βに１４×１４インチのサイズの放射線画像撮影装置１がそれぞれ装填されている場合が示されている。
【０１６３】
そして、このように、長尺撮影用のブッキー装置５１Ａに装填されている複数の放射線画像撮影装置１のサイズが異なっている場合、照射される放射線が、最も横幅が狭い放射線画像撮影装置１（図２１（Ａ）の場合は装填位置βの１４×１４インチの放射線画像撮
影装置１）の左右にはみ出さないようにするために、例えば同図に１点鎖線で示すように照射野を絞って放射線を照射することが必要になる。
【０１６４】
そこで、例えば、長尺撮影用のブッキー装置５１Ａから送信されてきた各放射線画像撮影装置１のカセッテＩＤに基づいて、長尺撮影用のブッキー装置５１Ａに装填されている複数の放射線画像撮影装置１のサイズが異なっていると判断される場合には、コンソールＣが、表示部Ｃａ上に表示したり音声を発する等して、放射線技師等の操作者に照射する放射線の照射野の設定に注意することを報知するように構成することが可能である。
【０１６５】
また、上記のように長尺撮影用のブッキー装置５１Ａに装填されている複数の放射線画像撮影装置１のサイズが異なっている場合、図２１（Ａ）、（Ｂ）に示すように、例えば複数の放射線画像撮影装置１の中央の位置を揃えるか（図２１（Ａ）の場合）、ブッキー装置５１Ａに向かって右側に揃えるか（図２１（Ｂ）の場合）、或いは向かって左側に揃えるか（図示省略）によって、照射すべき放射線の照射野の左右方向の位置が変わる。
【０１６６】
そのため、図示を省略するが、例えば、長尺撮影用のブッキー装置５１Ａ内に各装填位置α、β、γにそれぞれ装填された各放射線画像撮影装置１の左右方向の位置を検出する検出手段を設け、検出手段が検出した各放射線画像撮影装置１の左右方向の位置を、コンソールＣの表示部Ｃａ上に表示するように構成することが可能である。或いは、単に中央揃え、右揃え、左揃えのいずれであるかを表示するように構成することも可能である。また、各放射線画像撮影装置１の位置の表示や中央揃え等の表示を、コンソールＣの表示部Ｃａ上で行う代わりに、或いはそれとともに、長尺撮影用のブッキー装置５１Ａに表示手段を設けてそれに表示させるように構成することも可能である。
【０１６７】
このように構成すれば、放射線技師等の操作者は、その表示を見て、長尺撮影用のブッキー装置５１Ａに照射する放射線の照射野の位置をそれに合わせるように調整することが可能となり、長尺撮影を的確に行うことが可能となる。また、コンソールＣが、各放射線画像撮影装置１の位置や中央揃え等の情報を認識した上で、前述した長尺撮影における各画像データＤ＊１〜Ｄ＊３の合成処理や長尺画像データＤ＊longの生成処理（図１８（Ａ）、（Ｂ）参照）を行うことが可能となり、この点においても長尺撮影を的確に行うことが可能となる。
【０１６８】
［非連携方式用の放射線画像撮影装置同士の同期について］
一方、長尺撮影用のブッキー装置５１Ａに装填した各放射線画像撮影装置１に、放射線照射装置５２から１ショットで放射線を照射して長尺撮影を行う場合、各放射線画像撮影装置１に照射される放射線量には差異がある。中央の装填位置β（図２０（Ａ）等参照）に装填された放射線画像撮影装置１に対し、上下の装填位置α、γに装填された放射線画像撮影装置１は、照射される放射線の照射野が絞られているため、到達する放射線の線量が少なくなる。そのため、照射開始の判断性能が劣ることが想定される。
【０１６９】
そして、このような場合に、長尺撮影用のブッキー装置５１Ａに非連携方式の放射線画像撮影装置１が装填されていると、例えば、到達する放射線の線量が多い、装填位置βに装填された放射線画像撮影装置１では放射線の照射が開始されると速やかにそれを検出することができるが、装填位置α、γに装填された放射線画像撮影装置１では放射線の照射開始の検出タイミングが遅れるという事態が生じる可能性がある。そして、各放射線画像撮影装置１で放射線の照射開始の検出タイミングがずれると、各放射線画像撮影装置１からコンソールＣに画像データＤ等を転送するタイミングが各放射線画像撮影装置１ごとに異なるタイミングになり、コンソールＣでの処理が行い難くなる。
【０１７０】
そこで、例えば、長尺撮影用のブッキー装置５１Ａに複数の非連携方式用の放射線画像
撮影装置１が装填された場合、各放射線画像撮影装置１は、放射線の照射開始を検出すると、上記のようにその時点で検出処理を停止して電荷蓄積状態に移行するとともに（図９参照）、コンソールＣにその旨を表す信号を送信するように構成する。そして、コンソールＣは、最初の放射線の照射開始を検出した放射線画像撮影装置１からその信号を受信すると、長尺撮影用のブッキー装置５１Ａに装填されている他の放射線画像撮影装置１に移行信号を送信する。そして、他の放射線画像撮影装置１は、コンソールＣから移行信号を受信すると、自らは放射線の照射開始を検出していなくても、その時点で検出処理を停止して電荷蓄積状態に移行するように構成する。
【０１７１】
このように構成することで、長尺撮影用のブッキー装置５１Ａに装填された複数の非連携方式の放射線画像撮影装置１が電荷蓄積状態に移行し、画像データＤの生成処理等のその後の各処理を行うタイミングを揃えることが可能となり、コンソールＣでプレビュー画像ｐ_preの表示処理や長尺画像データＤ＊longの生成処理等を行い易くなる。また、このように構成すれば、各放射線画像撮影装置１から異なるタイミングで放射線の照射開始を検出してその後の処理を行う場合に比べて長尺撮影全体に要する時間をより短くすることが可能となり、被写体である患者にかかる負担をより軽減することが可能となる。
【０１７２】
［撮影室が複数設けられている場合の放射線画像撮影装置の所在管理等について］
ところで、本発明の目的である、放射線画像撮影装置１を用いて単純撮影と長尺撮影のいずれの撮影も的確に行うことを実現し、また、撮影を効率良く行うことを実現するためには、撮影に用いる放射線画像撮影装置１の取り違え等が発生したり、放射線技師等の操作者が放射線画像撮影装置１を探すような事態が生じたりすることがないように構成することが必要となる。
【０１７３】
そして、このような事態は、特に、放射線画像撮影システム５０が、複数の撮影室Ｒａ（Ｒａ１〜Ｒａ３）と単数または複数のコンソールＣ（Ｃ１、Ｃ２）とが対応付けられて構成されている場合（図２参照）において生じ易い。そこで、上記のような事態が生じないようにするために、例えば、図２に示したように、放射線画像撮影システム５０に管理装置Ｓを設けるように構成することが可能である。
【０１７４】
具体的には、前述したように、放射線画像撮影装置１が撮影室Ｒａに持ち込まれてクレードル５５（図２や図３参照）に挿入されたり、或いはタグリーダー６０（図４参照）で放射線画像撮影装置１のタグが読み取られる等して、放射線画像撮影装置１の識別情報であるカセッテＩＤが読み出されると、中継器５４を介してカセッテＩＤをコンソールＣとともに管理装置Ｓにも送信して通知する。その際、例えばカセッテＩＤに中継器の識別情報（以下、中継器ＩＤという。）を付帯させて通知する。
【０１７５】
そして、管理装置Ｓは、カセッテＩＤに付帯されている中継器ＩＤに基づいてどの撮影室Ｒａから送信されてきたかを判断し、当該カセッテＩＤを有する放射線画像撮影装置１が中継器ＩＤに対応する撮影室Ｒａ内に存在することを認識するとともに、その情報を記憶手段Ｃｂに保存する等して管理するように構成することが可能である。なお、中継器ＩＤの代わりに、或いはそれとともに、クレードル５５の識別情報やタグリーダー６０の識別情報を読み取ったカセッテＩＤに付帯させて管理装置Ｓに送信するように構成することも可能であり、カセッテＩＤがどの撮影室Ｒａから送信されてきたものであるかを確実に識別することができる情報であれば、カセッテＩＤに付帯させる情報はどのような情報であってもよい。
【０１７６】
また、管理装置Ｓは、コンソールＣからの要求に応じて、各撮影室Ｒａ内に存在する放射線画像撮影装置１の情報を当該コンソールＣに送信し、コンソールＣは、例えば特開２０１２−１０５７８７号公報や特開２０１３−１２６６０４号公報等に記載されているように、各撮影室Ｒａごとに存在する放射線画像撮影装置１を例えば一覧表の形で表示部Ｃａ上に表示するように構成することが可能である。
【０１７７】
このように構成することで、放射線技師等の操作者は、その一覧表を見て、どの放射線画像撮影装置１がどの撮影室Ｒａ内に存在するかを認識することができる。その際、前述したように、各放射線画像撮影装置１の情報の近傍に、例えば、当該放射線画像撮影装置１が、連携方式用の放射線画像撮影装置１は青、非連携方式用の放射線画像撮影装置１は赤で表示し、１４×１７インチ、１４×１４インチ、１７×１７インチ等の各サイズをそれぞれ例えば四角（ベタ塗り）、ストライプ、水玉等の各模様を表示するように構成すれば、放射線技師等の操作者が一目で放射線画像撮影装置１の撮影方式やサイズ等を把握することが可能となり、好ましい。
【０１７８】
一方、長尺撮影をさらに的確に行うことを実現するために、例えば、以下のように構成することが可能である。なお、複数の撮影室Ｒａのうち、いずれかの撮影室Ｒａ或いは全ての撮影室Ｒａに、長尺撮影用のブッキー装置５１Ａが設置されているものとする。
【０１７９】
そして、上記のようにして撮影オーダー情報に基づいてコンソールＣがこれから行われる撮影が長尺撮影であると判断し、コンソールＣから管理装置Ｓにどの撮影室Ｒａで長尺撮影が可能かの回答を求める要求信号を送信すると、管理装置Ｓは、それに応じて、各撮影室Ｒａ内に存在する放射線画像撮影装置１の情報や、撮影室Ｒａ内に長尺撮影用のブッキー装置５１Ａがあるか否かの情報に基づいて、いずれの撮影室Ｒａで長尺撮影を行うことが可能であるかを判断し、長尺撮影が可能な撮影室ＲａをコンソールＣに通知する。そして、コンソールＣは、管理装置Ｓから通知された撮影室Ｒａの情報を、例えば表示部Ｃａ上に表示する等して放射線技師等の操作者に報知するように構成することが可能である。
【０１８０】
具体的に言えば、上記のように、放射線照射装置５２がインターロック制御を受けるタイプであったり受けないタイプであったりすることで、長尺撮影に使用することができる放射線画像撮影装置１の種類（すなわち連携方式用か非連携方式用か）等が制限される場合がある。また、長尺撮影用のブッキー装置５１Ａにコネクター５１ｂが設けられているか否か等によっても、長尺撮影に使用することができる放射線画像撮影装置１の種類等を考慮しなければならない場合がある。
【０１８１】
そして、長尺撮影用のブッキー装置５１Ａが設けられている撮影室Ｒａ内に、上記のようにその長尺撮影用のブッキー装置５１Ａや放射線照射装置５２を用いた長尺撮影に使用することができる複数の放射線画像撮影装置１が存在すれば、当該撮影室Ｒａで長尺撮影を行うことができるが、そのような複数の放射線画像撮影装置１が存在しない場合には、当該撮影室Ｒａではすぐには長尺撮影を行うことができない。
【０１８２】
そのため、上記のように各撮影室Ｒａ内に存在する放射線画像撮影装置１の情報や長尺撮影用のブッキー装置５１Ａ等の情報に基づいて、管理装置Ｓがいずれの撮影室Ｒａで長尺撮影を行うことが可能かを判断し、長尺撮影が可能な撮影室Ｒａを、コンソールＣを介して放射線技師等の操作者に通知することで、操作者は、通知された撮影室Ｒａで長尺撮影を的確に行うことが可能となる。
【０１８３】
また、管理装置Ｓが、いずれの撮影室Ｒａにおいても長尺撮影を行うことが可能ではないと判断した場合には、例えば、長尺撮影に使用可能な放射線画像撮影装置１がどの撮影室Ｒａ内に存在するかの情報をコンソールＣに通知し、コンソールＣは、管理装置Ｓから通知された上記の情報を、例えば上記のように一覧表等の形で表示部Ｃａ上に表示する等して報知するように構成することが可能である。
【０１８４】
このように構成すれば、放射線技師等の操作者は、その報知に基づいて、必要な放射線画像撮影装置１を各撮影室Ｒａに行って的確かつ速やかに集めることが可能となり、長尺撮影用のブッキー装置５１Ａが設けられている撮影室Ｒａにそれらを持ち込んで長尺撮影用のブッキー装置５１Ａにそれらを装填して、長尺撮影を的確に行うことが可能となる。
【０１８５】
［変形例について］
［変形例１］
なお、前述したように、本実施形態に係る放射線画像撮影システム５０のコンソールＣの表示部Ｃａには、撮影室Ｒａ内に存在する放射線画像撮影装置１をアイコンＩで表示する選択画面Ｈ３（図１４〜図１６参照）が表示される。しかし、その際、これから行われる撮影（すなわち画面Ｈ２（図１３参照）上でフォーカス表示されているアイコンＩ（図１３の場合はアイコンＩ２）に対応する撮影）に用いることができない放射線画像撮影装置１に対応するアイコンＩは、選択画面Ｈ３上で選択することができないようにするために、例えば、これから行われる撮影に用いることができない放射線画像撮影装置１に対応するアイコンＩを、当該放射線画像撮影装置１が撮影室Ｒａ内に存在する場合であっても、そもそも選択画面Ｈ３上に表示しないように構成することも可能である。
【０１８６】
このように構成すれば、撮影に使用することができない放射線画像撮影装置１を、放射線技師等の操作者が誤って選択画面Ｈ３上で選択してしまうことを的確に防止することが可能となり、単純撮影や長尺撮影を的確に行うことが可能となる。
【０１８７】
［変形例２］
また、前述したように、放射線画像撮影装置１の中には、連携方式と非連携方式のいずれでも撮影を行うことができる装置がある。そして、このような放射線画像撮影装置１を用いる場合には、例えば上記のように放射線照射装置５２がインターロック制御を受けないタイプの装置であり、撮影に非連携方式用の放射線画像撮影装置１を使用しなければならない場合には、コンソールＣから放射線画像撮影装置１に信号を送信して、放射線画像撮影装置１の撮影方式を非連携方式に切り替えるように構成することも可能である。
【０１８８】
すなわち、撮影室Ｒａに設けられている放射線照射装置５２のタイプ（すなわち例えばインターロック制御を受けるか否か等）やブッキー装置５１のタイプ（すなわちコネクター５１ｂが設けられているか否か等）等に応じて、コンソールＣが、当該撮影室Ｒａ内に存在する放射線画像撮影装置１の撮影方式を、連携方式或いは非連携方式の、当該撮影室Ｒａの状況に応じた撮影方式に切り替えるように構成することが可能である。
【０１８９】
このように構成すれば、撮影室Ｒａの状況、すなわち上記のような放射線照射装置５２やブッキー装置５１のタイプ等に応じて、放射線画像撮影装置１の撮影方式を連携方式と非連携方式との間で適切に切り替えて撮影を行うことが可能となり、単純撮影や長尺撮影を的確に行うことが可能となる。
【０１９０】
［変形例３］
一方、上記の実施形態や変形例では、主に、長尺撮影用のブッキー装置５１Ａを用いる際、そのカセッテホルダー５１ａ（図１等参照）内に複数の放射線画像撮影装置１を装填して長尺撮影を行う場合について説明したが、この他にも、例えば、長尺撮影用のブッキー装置５１Ａに装填した放射線画像撮影装置１を用いて単純撮影を行うことができるように構成することも可能である。
【０１９１】
具体的には、図示を省略するが、例えば、長尺撮影用のブッキー装置５１Ａのカセッテホルダー５１ａ内に、装填された放射線画像撮影装置１を移動させるための移動装置を設けておき、長尺撮影用のブッキー装置５１Ａのカセッテホルダー５１ａ内に装填した放射線画像撮影装置１を、カセッテホルダー５１ａ内で、被写体Ｈの体軸Ａ方向（図１参照）の任意の位置に移動させることができるように構成することが可能である。
【０１９２】
この場合、長尺撮影用のブッキー装置５１Ａが立位撮影用であれば、装填された放射線画像撮影装置１がカセッテホルダー５１ａ内を上下方向に移動することができるように構成され、また、長尺撮影用のブッキー装置５１Ａが臥位撮影用であれば、装填された放射線画像撮影装置１がカセッテホルダー５１ａ内を水平方向に移動することができるように構成される。
【０１９３】
そして、このように構成すれば、長尺撮影用のブッキー装置５１Ａのカセッテホルダー５１ａ内で放射線画像撮影装置１を移動させることで、被写体Ｈの撮影部位に放射線画像撮影装置１を配置することが可能となる。そのため、被写体Ｈの撮影部位に応じて被写体Ｈの体位を移動させたりカセッテホルダー５１ａの位置を変えたりする必要がなくなり、放射線技師等の操作者にとって使い勝手がよいものとなる。
【０１９４】
なお、長尺撮影用のブッキー装置５１Ａのカセッテホルダー５１ａ内に複数の放射線画像撮影装置１を装填した状態で上記のようにカセッテホルダー５１ａ内で放射線画像撮影装置１を移動させて単純撮影を行う場合には、撮影に使用しない放射線画像撮影装置１をカセッテホルダー５１ａ内で例えば被写体Ｈから離れる方向に退避させることができるように構成することが好ましい。このように構成すれば、長尺撮影用のブッキー装置５１Ａのカセッテホルダー５１ａ内で、撮影に使用しない放射線画像撮影装置１によって邪魔されない状態で、撮影に使用する放射線画像撮影装置１を的確に移動させて撮影を行うことが可能となる。
【０１９５】
また、上記の実施形態では、図１等に示したように、放射線照射装置５２として、長尺撮影用のブッキー装置５１Ａに装填された複数の放射線画像撮影装置１に同時に（すなわち１ショットで）放射線を照射することができる、いわゆる広角照射タイプの放射線照射装置が用いられている。そのため、長尺撮影用のブッキー装置５１Ａのカセッテホルダー５１ａ内で放射線画像撮影装置１を移動させて単純撮影を行う場合も、放射線照射装置５２の位置や照射方向を必ずしも変える必要はない（なお、その場合も、被写体Ｈの被曝線量が増えないようにするために、放射線の照射野は必要な範囲に絞られる。）。
【０１９６】
しかし、単純撮影の場合には、カセッテホルダー５１ａ内での放射線画像撮影装置１の移動に同期するように放射線照射装置５２を移動させて放射線を照射するように構成することが好ましい。
【０１９７】
すなわち、例えば、長尺撮影用のブッキー装置５１Ａが立位撮影用であり、仮に放射線画像撮影装置１をカセッテホルダー５１ａ内の上端の位置に移動させた場合、広角照射タイプの放射線照射装置５２であれば、放射線照射装置５２の位置（高さ）や照射方向を変えなくても、カセッテホルダー５１ａ内の上端の位置の放射線画像撮影装置１に放射線を照射することが可能である。しかし、この場合、放射線画像撮影装置１に下側から放射線を照射して撮影を行った状態になり、生成された放射線画像ｐを見た読影医が違和感を感じる画像になる虞れがある。
【０１９８】
そのため、上記のように、長尺撮影用のブッキー装置５１Ａのカセッテホルダー５１ａ内で放射線画像撮影装置１を移動させて単純撮影を行う場合には、カセッテホルダー５１ａ内での放射線画像撮影装置１の移動に同期させて、放射線照射装置５２の位置（高さ）が放射線画像撮影装置１と同じ位置（高さ）になるように放射線照射装置５２を移動させて撮影を行うように構成することが好ましい。
【０１９９】
なお、本発明が上記の実施形態や変形例等に限定されず、本発明の趣旨を逸脱しない限り、適宜変更可能であることは言うまでもない。
【符号の説明】
【０２００】
１  放射線画像撮影装置（可搬型放射線画像撮影装置）
２７  コネクター
５０  放射線画像撮影システム
５１、５１Ａ  長尺撮影用のブッキー装置
５１ｂ  コネクター（読取手段）
５２  放射線照射装置
５５  クレードル（検知手段）
６０  タグリーダー（検知手段、読取手段）
Ｃ  コンソール
Ｄ  画像データ
ｐ  放射線画像
Ｒａ、Ｒａ１〜Ｒａ３  撮影室
Ｓ  管理装置
α、β、γ  装填位置
【図１】
2020058883.tif 000003
【図２】
2020058883.tif 000004
【図３】
2020058883.tif 000005
【図４】
2020058883.tif 000006
【図５】
2020058883.tif 000007
【図６】
2020058883.tif 000008
【図７】
2020058883.tif 000009
【図８】
2020058883.tif 000010
【図９】
2020058883.tif 000011
【図１０】
2020058883.tif 000012
【図１１】
2020058883.tif 000013
【図１２】
2020058883.tif 000014
【図１３】
2020058883.tif 000015
【図１４】
2020058883.tif 000016
【図１５】
2020058883.tif 000017
【図１６】
2020058883.tif 000018
【図１７】
2020058883.tif 000019
【図１８】
2020058883.tif 000020
【図１９】
2020058883.tif 000021
【図２０】
2020058883.tif 000022
【図２１】
2020058883.tif 000023
【図２２】
2020058883.tif 000024
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
第１の放射線画像撮影装置、第２の放射線画像撮影装置及び第３の放射線画像撮影装置に放射線を照射することにより長尺撮影を行うことが可能な放射線画像撮影システムで用いられる放射線用撮影台であって、
前記第１、第２及び第３の放射線画像撮影装置が、順に、各放射線画像撮影装置の放射線入射面が広がる方向に沿って配置され、
前記第１の放射線画像撮影装置の一部と前記第２の放射線画像撮影装置の一部とが前記放射線入射面と直交する方向に重ねられ、
前記第２の放射線画像撮影装置の一部と前記第３の放射線画像撮影装置の一部とが前記放射線入射面と直交する方向に重ねられ、
且つ前記第２の放射線画像撮影装置における前記放射線入射面と直交する方向の位置が、前記第１及び第３の放射線画像撮影装置よりも放射線照射装置から遠くなるように、
前記第１、第２及び第３の放射線画像撮影装置を装填する装填手段を有することを特徴とする放射線用撮影台。
【請求項２】
前記装填手段は、前記第１、第２及び第３の放射線画像撮影装置を着脱可能に保持することを特徴とする請求項１に記載の放射線用撮影台。
【請求項３】
前記長尺撮影は、前記第１、第２及び第３の放射線画像撮影装置に同時に放射線を照射することにより行われることを特徴とする請求項１又は請求項２に記載の放射線用撮影台。
【請求項４】
前記長尺撮影は、前記第１、第２及び第３の放射線画像撮影装置により得られるデータを合成することにより放射線画像を得ることを特徴とする請求項１から請求項３のいずれか一項に記載の放射線用撮影台。
【請求項５】
複数の放射線画像撮影装置に放射線を照射することにより長尺撮影を行うことが可能な放射線画像撮影システムであって、
第１の放射線画像撮影装置、第２の放射線画像撮影装置及び第３の放射線画像撮影装置と、
前記第１、第２及び第３の放射線画像撮影装置を装填する撮影台と、
前記第１、第２及び第３の放射線画像撮影装置を制御する制御装置と、を有し、
前記撮影台は、
前記第１、第２及び第３の放射線画像撮影装置が、順に、各放射線画像撮影装置の放射線入射面が広がる方向に沿って配置され、
前記第１の放射線画像撮影装置の一部と前記第２の放射線画像撮影装置の一部とが前記放射線入射面とは直交する方向に重ねられ、
前記第２の放射線画像撮影装置の一部と前記第３の放射線画像撮影装置の一部とが前記放射線入射面とは直交する方向に重ねられ、
且つ前記第２の放射線画像撮影装置における前記放射線入射面と直交する方向の位置が、前記第１及び第３の放射線画像撮影装置よりも放射線照射装置から遠くなるように、
前記第１、第２及び第３の放射線画像撮影装置を装填する装填手段を有することを特徴とする放射線画像撮影システム。
【請求項６】
前記装填手段は、前記第１、第２及び第３の放射線画像撮影装置を着脱可能に保持することを特徴とする請求項５に記載の放射線画像撮影システム。
【請求項７】
前記長尺撮影は、前記第１、第２及び第３の放射線画像撮影装置に同時に放射線を照射することにより行われることを特徴とする請求項５又は請求項６に記載の放射線画像撮影システム。
【請求項８】
前記第１、第２及び第３の放射線画像撮影装置により得られるデータを合成することにより放射線画像を生成する放射線画像生成手段を有することを特徴とする請求項５から請求項７のいずれか一項に記載の放射線画像撮影システム。
【請求項９】
前記第１、第２及び第３の放射線画像撮影装置のうちの一つを用いる単純撮影と前記長尺撮影の両方の撮影を行うことが可能であることを特徴とする請求項５から請求項８のいずれか一項に記載の放射線画像撮影システム。
【手続補正３】
【補正対象書類名】明細書
【補正対象項目名】０００１
【補正方法】変更
【補正の内容】
【０００１】
本発明は、放射線用撮影台及び放射線画像撮影システムに係り、特に、いわゆる長尺撮影を行うための放射線用撮影台及び放射線画像撮影システムに関する。
【手続補正４】
【補正対象書類名】明細書
【補正対象項目名】００１１
【補正方法】変更
【補正の内容】
【００１１】
本発明は、上記の問題点を鑑みてなされたものであり、放射線画像撮影装置を用いて長尺撮影を的確に行うための放射線用撮影台及び長尺撮影を的確に行うことが可能な放射線画像撮影システムを提供することを目的とする。
【手続補正５】
【補正対象書類名】明細書
【補正対象項目名】００１２
【補正方法】変更
【補正の内容】
【００１２】
前記の問題を解決するために、本発明の放射線用撮影台は、
第１の放射線画像撮影装置、第２の放射線画像撮影装置及び第３の放射線画像撮影装置に放射線を照射することにより長尺撮影を行うことが可能な放射線画像撮影システムで用いられる放射線用撮影台であって、
前記第１、第２及び第３の放射線画像撮影装置が、順に、各放射線画像撮影装置の放射線入射面が広がる方向に沿って配置され、
前記第１の放射線画像撮影装置の一部と前記第２の放射線画像撮影装置の一部とが前記放射線入射面と直交する方向に重ねられ、
前記第２の放射線画像撮影装置の一部と前記第３の放射線画像撮影装置の一部とが前記放射線入射面と直交する方向に重ねられ、
且つ前記第２の放射線画像撮影装置における前記放射線入射面と直交する方向の位置が、前記第１及び第３の放射線画像撮影装置よりも放射線照射装置から遠くなるように、
前記第１、第２及び第３の放射線画像撮影装置を装填する装填手段を有することを特徴とする。
【手続補正６】
【補正対象書類名】明細書
【補正対象項目名】００１３
【補正方法】変更
【補正の内容】
【００１３】
また、本発明の放射線画像撮影システムは、
複数の放射線画像撮影装置に放射線を照射することにより長尺撮影を行うことが可能な放射線画像撮影システムであって、
第１の放射線画像撮影装置、第２の放射線画像撮影装置及び第３の放射線画像撮影装置と、
前記第１、第２及び第３の放射線画像撮影装置を装填する撮影台と、
前記第１、第２及び第３の放射線画像撮影装置を制御する制御装置と、を有し、
前記撮影台は、
前記第１、第２及び第３の放射線画像撮影装置が、順に、各放射線画像撮影装置の放射線入射面が広がる方向に沿って配置され、
前記第１の放射線画像撮影装置の一部と前記第２の放射線画像撮影装置の一部とが前記放射線入射面とは直交する方向に重ねられ、
前記第２の放射線画像撮影装置の一部と前記第３の放射線画像撮影装置の一部とが前記放射線入射面とは直交する方向に重ねられ、
且つ前記第２の放射線画像撮影装置における前記放射線入射面と直交する方向の位置が、前記第１及び第３の放射線画像撮影装置よりも放射線照射装置から遠くなるように、
前記第１、第２及び第３の放射線画像撮影装置を装填する装填手段を有することを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
本発明のような方式の放射線用撮影台や放射線画像撮影システムによれば、放射線画像撮影装置を用いて長尺撮影を的確に行うことが可能となる。